(57)【特許請求の範囲】
【請求項１】
支持体と、該支持体上に少なくとも中間層、感光層、及び表面層をこの順に有してなり
、
前記表面層が、少なくともバインダー樹脂と、フィラーとを含有してなり、
前記中間層が、非晶質酸化物半導体を含有し、
前記非晶質酸化物半導体が、少なくともインジウム、亜鉛、及びガリウムを含有することを特徴とする電子写真感光体。
【請求項２】
中間層の厚みが、０．１μｍ以上０．９μｍ以下である請求項１に記載の電子写真感光体。
【請求項３】
支持体の表面粗さ（Ｒｚ）が、０．６μｍ以上である請求項１から２のいずれかに記載の電子写真感光体。
【請求項４】
フィラーが、金属酸化物である請求項１から３のいずれかに記載の電子写真感光体。
【請求項５】
金属酸化物が、酸化アルミニウム、酸化チタン及びシリカから選ばれる少なくともいず
れかである請求項４に記載の電子写真感光体。
【請求項６】
金属酸化物が、α−アルミナである請求項４から５のいずれかに記載の電子写真感光体。
【請求項７】
バインダー樹脂が、ポリカーボネート樹脂及びポリアリレート樹脂の少なくともいずれ
かである請求項１から６のいずれかに記載の電子写真感光体。
【請求項８】
バインダー樹脂が、高分子電荷輸送物質である請求項１から７のいずれかに記載の電子写真感光体。
【請求項９】
高分子電荷輸送物質が、ポリカーボネート、ポリウレタン、ポリエステル及びポリエー
テルの中から選ばれる少なくともいずれかの重合体である請求項８に記載の電子写真感光体。
【請求項１０】
高分子電荷輸送物質が、トリアリールアミン構造を有する請求項８から９のいずれかに記載の電子写真感光体。
【請求項１１】
表面層が、更に電荷輸送物質を含有する請求項１から１０のいずれかに記載の電子写真感光体。
【請求項１２】
感光層が、電荷発生層及び電荷輸送層からなる積層型である請求項１から１１のいずれかに記載の電子写真感光体。
【請求項１３】
電子写真感光体表面を帯電させる帯電工程と、帯電された電子写真感光体表面を露光し
て静電潜像を形成する露光工程と、前記静電潜像をトナーを用いて現像して可視像を形成
する現像工程と、前記可視像を記録媒体に転写する転写工程と、を少なくとも含む画像形
成方法において、
前記電子写真感光体が、請求項１から１２のいずれかに記載の電子写真感光体であることを特徴とする画像形成方法。
【請求項１４】
電子写真感光体と、該電子写真感光体表面を帯電させる帯電手段と、帯電された電子写
真感光体表面を露光して静電潜像を形成する露光手段と、前記静電潜像をトナーを用いて
現像して可視像を形成する現像手段と、前記可視像を記録媒体に転写する転写手段と、を
少なくとも有する画像形成装置において、
前記電子写真感光体が、請求項１から１２のいずれかに記載の電子写真感光体であることを特徴とする画像形成装置。
【請求項１５】
請求項１から１２のいずれかに記載の電子写真感光体と、該電子写真感光体上に形成した静電潜像をトナーを用いて現像し可視像を形成する現像手段とを少なくとも有し、画像形成装置本体に着脱可能であることを特徴とするプロセスカートリッジ。
【発明の詳細な説明】
【技術分野】
【０００１】
本発明は、長期にわたる使用によっても、露光部電位の上昇を起こすことなく、帯電性低下、地汚れ、及び帯電不良を抑制することが可能な電子写真感光体、並びに該電子写真感光体を用いた複写機、プリンター、ファクシミリ、又はそれらの複合機等の電子写真方式の画像形成装置、画像形成方法、及びプロセスカートリッジに関する。
【背景技術】
【０００２】
近年、オフィスの省スペース化、ビジネスオポチュニティの拡大等の観点から、電子写真方式の画像形成装置に対して、高速化、小型化、カラー化、更には、高画質化、易メンテナンス性が望まれている。これらは、電子写真感光体の特性の向上、耐久性の向上等が関係していることから、電子写真感光体の開発により解決すべき問題と位置付けられている。易メンテナンス性の向上の観点から、電子写真感光体の交換頻度の低減が挙げられる。これは、電子写真感光体由来の主力画像欠陥を、長期に亘って可能な限り少なくすることであり、電子写真感光体の長寿命化に他ならない。また、長期に亘る出力画像の高画質化にも関連するため、近年、電子写真感光体の長寿命化に関する開発が多く報告されている。
電子写真感光体の長寿命化を達成するためには、画像形成プロセスから電子写真感光体が受ける種々のハザードに対する耐久性の向上が重要な課題となる。ここで言うところのハザードとしては、大きくは機械的ハザード、電気的ハザードの二種類に大別できる。
【０００３】
機械的ハザードの一例としては、画像形成プロセスの転写後に電子写真感光体上に残留するトナーを除去（所謂トナークリーニングプロセス）する手段の一つであるブレードクリーニング由来のものが挙げられる。ブレードクリーニングとは、感光体上に弾性部材（所謂クリーニングブレード）を当接することにより、強制的に電子写真感光体上からトナーを除去する手段であり、少ないスペースで大きなトナー除去能力を有するため、電子写真装置の小型化には非常に有効である。しかし、その一方で電子写真感光体に直接弾性部材を当接し、摺擦させるため、電子写真感光体への機械的なストレスが非常に大きく、感光体の最表面に配置された層が摩耗しやすいと言ったデメリットが指摘されている。このため、このクリーニング方式を適用した電子写真装置においては、電子写真感光体の摩耗が長寿命化に対する課題となることが多く、この課題に対しては、高硬度保護層を積層する技術が提案されている（特許文献１〜５参照）。
【０００４】
次に、静電ハザードについて説明する。通常の画像形成プロセスにおいては、電子写真感光体表面に電荷を付与し、所定の電位まで帯電した後に、電子写真感光体への露光によって感光体を経由して表面に付与した電荷を除去する。この際に電子写真感光体の各層（例えば表面層、電荷発生層、電荷輸送層、中間層）を電荷が通過することによって、電子写真感光体に静電ストレスが負荷される。現在、広く普及している電子写真感光体は、有機材料からなるものが大部分を占めており、繰り返し帯電、除電を繰り返すような現在の電子写真プロセスにおいては、電子写真感光体を構成する有機材料が静電ハザードによって徐々に変質し、層中での電荷トラップの発生や、帯電性の変化等に挙げられるような電子写真特性の低下が生じる。特に、帯電性の低下は、出力画像の画質への影響が大きく、画像濃度の低下、地汚れ、連続出力時の画像の均質性等の重大な問題を引き起こすことが知られている。
感光体の帯電性低下に対しては種々の低下要因が挙げられている。例えば、画像形成プロセスにおける帯電プロセスで発生した放電生成物が感光体へ影響を与える（特許文献６〜８参照）ことが指摘されており、これによって電荷輸送層や表面層のバルクの導電性が向上するため、電子写真感光体の帯電性低下を引き起こす。これに対しては電荷輸送層や表面層に酸化防止剤を添加することによって帯電性低下を抑制する技術が公開されている（特許文献８参照）。また、帯電プロセスとして放電生成物の発生が少ない帯電技術が公開されている（特許文献６及び７参照）。この帯電方式を画像形成プロセスにおける帯電プロセスに適用することによって、放電生成物によって引き起こされる電子写真感光体の帯電性低下を抑制することが可能である。
【０００５】
また、帯電性低下の別な要因として、中間層の劣化が考えられる。現在広く用いられている中間層は、有機樹脂からなるバインダー中に無機微粒子を分散させた形態を取るものであり、支持体から感光層への電荷注入阻止機能と、感光層で発生した電荷の支持体への輸送機能とを有することが好ましいとされている。例えば、支持体から感光層への電荷注入阻止機能が不十分な場合、電子写真感光体を帯電させる際に、感光体の帯電極性と逆極性の電荷が支持体から感光層に注入し、感光体表面の電荷を消去しやすくなるため、所望の帯電を得にくいと言った現象が発生する。また、感光層で発生した電荷の支持体への輸送機能が不十分な場合、電荷発生効率の低下による露光部電位上昇や、中間層中の電荷トラップによる帯電性不良が発生しやすい。これら二つの機能の両立・維持に関する種々の技術が開発されているが、これらの機能は相反則の関係を取りやすく、両機能の両立及び維持は非常に難しい。例えば、中間層の構成層として高絶縁層を適用することによって電荷注入阻止の機能向上を達成する技術が公開されている（特許文献９及び１０参照）。この技術を電子写真感光体に用いた場合、感光体の帯電性低下に由来して発現する地汚れなどの画像欠陥は極めて少なくなり、繰り返し使用によっても極めて良好な出力画像を維持することが報告されている。しかし、中間層の担うべきもう一つの機能である、電荷発生材料から支持体への電荷輸送という機能は不十分となり、露光部電位上昇や帯電不良などを引き起こしやすく、電子写真感光体の繰り返し使用によって露光部電位上昇、帯電不良といった現象が顕在化しやすい。
【０００６】
また、例えば、電子写真感光体表面を負帯電させる画像形成プロセスにおいて、その電子写真感光体の中間層に電子輸送材料を配合する技術が提案されている（特許文献１１参照）。この提案によれば、感光体表面の逆極性の電荷（この場合は正電荷）が支持体から感光層に注入されにくいとともに、電荷発生層で発生した負電荷を支持体へ輸送することが可能となり、前記中間層の二機能を充足する中間層が得られる。このような中間層を電子写真感光体に適用した場合、初期的には非常に良好な電子写真特性を示す。
しかし、前記提案では、優れた電子移動特性を示す電子輸送材料が少ないこと、繰り返しの静電ハザードによって中間層を構成する有機材料が劣化しやすいこと、更には電子輸送材料が大気中の酸素の影響を受けることによって電荷トラップを形成しやすいことなどの理由から、繰り返しの静電ハザードによって電子写真特性の低下が生じることが問題となっている。
【０００７】
したがって、磨耗耐久性に優れ、露光部電位の上昇を引き起こすことなく支持体から感光層への電荷注入を抑制することができるとともに、長期にわたる使用によっても帯電性の低下などの電子写真特性の低下が極めて少なく、欠陥の少ない高品質画像が継続的に得ることができる電子写真感光体、並びに該電子写真感光体を用いた画像形成方法、画像形成装置、及びプロセスカートリッジは得られておらず、その速やかな提供が望まれているのが現状である。
【０００８】
【特許文献１】特開平５−１８１２９９号公報
【特許文献２】特開２００２−６５２６号公報
【特許文献３】特開２００２−８２４６５号公報
【特許文献４】特開２０００−２８４５１４号公報
【特許文献５】特開２００１−１９４８１３号公報
【特許文献６】特開平９−２６６８５号公報
【特許文献７】特開２００２−２２９２４１号公報
【特許文献８】特開２００６−９９０２８号公報
【特許文献９】特開平３−４５９６２号公報
【特許文献１０】特開平７−２８１４６３号公報
【特許文献１１】特開２００６−２５９１４１号公報
【発明の開示】
【発明が解決しようとする課題】
【０００９】
本発明は、従来における諸問題を解決し、以下の目的を達成することを課題とする。即ち、本発明は、少なくともバインダー樹脂と、フィラーとを含有する表面層と、非晶質酸化物半導体からなる中間層とを有し、磨耗耐久性に優れ、露光部電位の上昇を引き起こすことなく支持体から感光層への電荷注入を抑制することができるとともに、長期にわたる使用によっても帯電性の低下などの電子写真特性の低下が極めて少なく、欠陥の少ない高品質画像が継続的に得ることができる電子写真感光体、並びに該電子写真感光体を用いた画像形成方法、画像形成装置、及びプロセスカートリッジを提供することを目的とする。
【課題を解決するための手段】
【００１０】
前記課題を解決するため本研究者らは上記目的を達成すべく鋭意研究を重ねた結果、支持体上に少なくとも中間層、感光層、表面層を順に有し、該表面層が少なくともバインダー樹脂と、フィラーとを含有し、かつ該中間層に非晶質酸化物半導体を用いることによって、支持体から感光層への不要な電荷の注入を抑制することが可能であるとともに、使用によっても中間層中への電荷トラップが発生や、支持体からの不要な電荷の注入がほとんど生じることなく、長期に亘って電子写真感光体の帯電性低下が生じず、出力画像の欠陥を極めて少なくすることができる電子写真感光体を作製できることを知見した。更に、非晶質酸化物半導体として少なくともインジウム、亜鉛、ガリウムを含む非晶質酸化物を用いることで前記効果が顕著に発現することを知見した。
そして、本発明の電子写真感光体を用いれば、中間層から電荷発生層、電荷輸送層への不要電荷の注入を抑制することができるとともに、電荷発生材料で発生した電荷を効果的に支持体に輸送することが可能であり、本発明の手法で形成した中間層は電荷ハザードに対して非常に堅牢であるため、長期に亘って前記特性を維持することができる。その結果、電子写真感光体の繰り返し使用によっても、画像濃度低下、地汚れ発生等の出力画像欠陥が生じなく、画像形成プロセス由来の機械的ハザードに対しても耐久性を有する長寿命な電子写真感光体を提供することができる。
【００１１】
本発明は、本発明者らによる前記知見に基づくものであり、前記課題を解決するための手段としては以下の通りである。即ち、
＜１＞  支持体と、該支持体上に少なくとも中間層、感光層、及び表面層をこの順に有してなり、
前記表面層が、少なくともバインダー樹脂と、フィラーとを含有してなり、
前記中間層が、非晶質酸化物半導体を含有することを特徴とする電子写真感光体である。
前記＜１＞の電子写真感光体においては、支持体から中間層を経由して電荷発生層又は電荷輸送層への不要な電荷（特に本願発明に於いては正電荷）の注入を、相互に特有の電気的特性を利用することで抑制することが可能であり、機械的耐久性に優れた表面層を有するとともに、優れた静電安定性を有し、長期の使用に亘っても各種電子写真特性の変動が少ない、出力画像品質に関わる欠陥の発生の少ない優れた電子写真感光体を提供することができる。
＜２＞  非晶質酸化物半導体が、少なくともインジウム、亜鉛、及びガリウムを含有する前記＜１＞に記載の電子写真感光体である。
＜３＞  中間層の厚みが、０．１μｍ以上０．９μｍ以下である前記＜１＞から＜２＞のいずれかに記載の電子写真感光体である。
前記＜２＞及び＜３＞の電子写真感光体においては、均質な非晶質酸化物からなるｎ型半導体の形成が比較的容易に行うことが可能な無機材料群であり、製膜条件等を調整することで非晶質酸化物半導体の電気特性や、中間層の厚みの変更が可能である静電安定性に優れた中間層の形成が可能であり、長期の使用によっても、感光体の摩耗が少なく、電子写真特性の変動が少ない、出力画像品質に関わる欠陥の発生の少ない優れた電子写真感光体を提供することができる。
＜４＞  支持体の表面粗さ（Ｒｚ）が、０．６μｍ以上である前記＜１＞から＜３＞のいずれかに記載の電子写真感光体である。
前記＜４＞の電子写真感光体においては、コヒーレンシーの高い書き込み光によって電子写真感光体を露光してもモアレ発生のない、優れた電子写真感光体を提供することができる。
＜５＞  フィラーが、金属酸化物である前記＜１＞から＜４＞のいずれかに記載の電子写真感光体である。
＜６＞  金属酸化物が、酸化アルミニウム、酸化チタン及びシリカから選ばれる少なくともいずれかである前記＜５＞に記載の電子写真感光体である。
＜７＞  金属酸化物が、α−アルミナである前記＜５＞から＜６＞のいずれかに記載の電子写真感光体である。
前記＜５＞、＜６＞及び＜７＞の電子写真感光体においては、電子写真感光体に求められる特性（帯電性／光減衰性）を損なうことなく、摩耗耐久性に優れた表面層を得ることができ、長期の使用によっても、感光体の摩耗が少なく、電子写真特性の変動が少ない、出力画像品質に関わる欠陥の発生の少ない優れた電子写真感光体を提供することができる。
＜８＞  バインダー樹脂が、ポリカーボネート樹脂及びポリアリレート樹脂の少なくともいずれかである前記＜１＞から＜７＞のいずれかに記載の電子写真感光体である。
前記＜８＞の電子写真感光体においては、電子写真感光体に求められる特性（帯電性／光減衰性）を損なうことなく、摩耗耐久性に優れた表面層を得ることができ、長期の使用によっても、感光体の摩耗が少なく、電子写真特性の変動が少ない、出力画像品質に関わる欠陥の発生の少ない優れた電子写真感光体を提供することができる。
＜９＞  バインダー樹脂が、高分子電荷輸送物質である前記＜１＞から＜８＞のいずれかに記載の電子写真感光体である。
＜１０＞  高分子電荷輸送物質が、ポリカーボネート、ポリウレタン、ポリエステル及びポリエーテルから選ばれる少なくともいずれかの重合体である前記＜９＞に記載の電子写真感光体である。
＜１１＞  高分子電荷輸送物質が、トリアリールアミン構造を有する前記＜９＞から＜１０＞のいずれかに記載の電子写真感光体である。
前記＜９＞、＜１０＞及び＜１１＞の電子写真感光体においては、電子写真感光体に求められる特性（帯電性／光減衰性）を損なうことなく、摩耗耐久性に優れた表面層を得ることができ、長期の使用によっても、感光体の摩耗が少なく、電子写真特性の変動が少ない、出力画像品質に関わる欠陥の発生の少ない優れた電子写真感光体を提供することができる。
＜１２＞  表面層が、更に電荷輸送物質を含有する前記＜１＞から＜１１＞のいずれかに記載の電子写真感光体である。
前記＜１２＞の電子写真感光体においては、電子写真感光体に求められる特性（帯電性／光減衰性）を損なうことなく、摩耗耐久性に優れた表面層を得ることができ、長期の使用によっても、感光体の摩耗が少なく、電子写真特性の変動が少ない、出力画像品質に関わる欠陥の発生の少ない優れた電子写真感光体を提供することができる。
＜１３＞  感光層が、電荷発生層及び電荷輸送層からなる積層型である前記＜１＞から＜１２＞のいずれかに記載の電子写真感光体である。
前記＜１３＞の電子写真感光体においては、電荷輸送層と明確な界面を有することなく表面層を形成することができ、電荷輸送層／表面層界面における電荷注入を物理的に阻害することなく、優れた電荷輸送機能を有する電荷輸送層を得ることができ、長期の使用によっても、感光体の摩耗が少なく、優れた電子写真特性を有するとともに、その特性変動が少ない、出力画像品質に関わる欠陥の発生の少ない優れた電子写真感光体を提供することができる。
＜１４＞  電子写真感光体表面を帯電させる帯電工程と、帯電された電子写真感光体表面を露光して静電潜像を形成する露光工程と、前記静電潜像をトナーを用いて現像して可視像を形成する現像工程と、前記可視像を記録媒体に転写する転写工程と、を少なくとも含む画像形成方法において、
前記電子写真感光体が、前記＜１＞から＜１３＞のいずれかに記載の電子写真感光体であることを特徴とする画像形成方法である。
前記＜１４＞の画像形成方法においては、長期に亘って帯電性の低下が生じない、出力画像品質に関わる欠陥の発生の少ない、優れた画像形成方法を提供することができる。
＜１５＞  電子写真感光体と、該電子写真感光体表面を帯電させる帯電手段と、帯電された電子写真感光体表面を露光して静電潜像を形成する露光手段と、前記静電潜像をトナーを用いて現像して可視像を形成する現像手段と、前記可視像を記録媒体に転写する転写手段と、を少なくとも有する画像形成装置において、
前記電子写真感光体が、前記＜１＞から＜１３＞のいずれかに記載の電子写真感光体であることを特徴とする画像形成装置である。
前記＜１５＞の画像形成装置においては、長期に亘って帯電性の低下が生じない、出力画像品質に関わる欠陥の発生の少ない、優れた画像形成装置を提供することができる。
＜１６＞  前記＜１＞から＜１３＞のいずれかに記載の電子写真感光体と、該電子写真感光体上に形成した静電潜像をトナーを用いて現像し可視像を形成する現像手段とを少なくとも有し、画像形成装置本体に着脱可能であることを特徴とするプロセスカートリッジである。
前記＜１６＞のプロセスカートリッジにおいては、長期に亘って帯電性の低下が生じない、出力画像品質に関わる欠陥の発生の少ない、優れたプロセスカートリッジを提供することができる。
【００１２】
本発明においては、電子写真感光体の長寿命化を達成するためには、前述の通り作像における各プロセスから受ける種々のハザードに対して耐久性を付与することが重要となる。特に電子写真感光体表面に残留したトナーを除去するためのクリーニングプロセス等で負荷される機械的ハザード、及び帯電プロセスや転写プロセスから受ける静電ハザードの二つのハザードが感光体に大きなストレスを与え、感光体の特性変化を引き起こし、感光体の長寿命化に対する阻害要因であると考えられている。このうち、本発明においては静電ハザードに対する耐久性向上に関し、より具体的には、地汚れや画像濃度ムラなどの帯電性に関わる耐久性向上技術に関する。
【００１３】
電子写真作像プロセスにおける帯電プロセスは、感光体表面を一定電位に帯電させるものであり、その均一性が画像濃度ムラ、地汚れ等に関わり、帯電能力が高速性に関わることから高画質化及び高速化に対しては重要な技術とされている。電子写真感光体において、その表面を均一に帯電させるために必要な特性として、支持体からの不要な電荷注入がないこと、また電子写真感光体中において電荷トラップが少ないことが挙げられる。もしこれらの特性を有しない電子写真感光体であった場合、帯電プロセスにおける電子写真感光体帯電時に支持体から帯電極性とは逆極性の電荷注入が生じ、表面に付与された電荷をキャンセルしたり、蓄積された電子写真感光体内の電荷が表面に付与された電荷をキャンセルすることによって、所望の帯電性が得られないという現象が発生する。
また、最近の電子写真感光体の開発動向として、環境対応、易メンテナンス性などを指向して長寿命化が進められており、ここに示した支持体からの不要電荷注入や、電荷トラップがないことが長期に亘って維持されることが求められている。即ち、ここに示した帯電性に関わる特性は、初期的には非常に優れた特性を有していたとしても、使用によって用いられている有機材料が劣化し、不要電荷の注入サイトが発生したり、層中に新たな電荷トラップを発生させるなどといったことによる、帯電性低下を引き起こしたりするため、用いる材料の電気的耐久性が求められている。
したがって、本発明の電子写真感光体は、少なくともバインダー樹脂と、フィラーとを含有してなる表面層を有し、通過電荷に対する耐久性を有し、電気化学的に感光層への不要電荷が注入しにくい非晶質酸化物半導体、特にインジウム、ガリウム、及び亜鉛を含む非晶質酸化物半導体を中間層に適用することにより、長期にわたる使用によっても帯電性低下が生じにくい、欠陥の少ない高品質画像が継続的に得ることができ、本発明の画像形成方法、画像形成装置、及びプロセスカートリッジに適用される。
【発明の効果】
【００１４】
本発明によれば、前記従来における諸問題を解決し、前記目的を達成することができ、少なくともバインダー樹脂と、フィラーとを含有する表面層と、非晶質酸化物半導体からなる中間層とを有し、磨耗耐久性に優れ、露光部電位の上昇を引き起こすことなく支持体から感光層への電荷注入を抑制することができるとともに、長期にわたる使用によっても帯電性の低下などの電子写真特性の低下が極めて少なく、欠陥の少ない高品質画像が継続的に得ることができる電子写真感光体、並びに該電子写真感光体を用いた画像形成方法、画像形成装置、及びプロセスカートリッジを提供することができる。
【発明を実施するための最良の形態】
【００１５】
（電子写真感光体）
本発明の電子写真感光体は、支持体と、該支持体上に少なくとも中間層、感光層、及び表面層をこの順に有してなり、更に必要に応じてその他の層を有してなる。
【００１６】
＜中間層＞
前記中間層は、支持体から感光層への不要な電荷（感光体の帯電極性と逆極性の電荷）の注入を抑制する機能と、感光層で形成された電荷のうち、感光体の帯電極性と同極性の電荷を輸送する機能とを兼ね備えていることが好ましい。例えば、画像形成プロセスとして感光体を負帯電させる必要がある場合には、中間層としては支持体から感光層への正孔注入阻止機能（ホールブロッキング性）と、感光層から支持体への電子輸送機能（エレクトロン輸送性）とを兼ね備える必要がある。また、長寿命電子写真感光体を獲得するためにはその特性が繰り返しの静電ハザードによっても変化しないことが重要となる。
前記中間層がホールブロッキング性を有するために該中間層として有するべき特性は、該中間層のイオン化ポテンシャルもしくは電子充満帯における仕事関数が支持体のフェルミ順位よりも大きいこと、及び中間層自身に正孔輸送性が極めて小さいことが挙げられる。これらの特性を有する材料としてはｎ型を示す半導体材料が好適に挙げられる。また、仕事関数の観点からは比較的バンドギャップが大きいことも挙げることができる。更に感光層で発生した電子を支持体に輸送する（エレクトロン輸送性）ために中間層が持つべき特性は、中間層の電子親和力よりも感光層の電子親和力が小さいこと、中間層が電子輸送性を有することが挙げられる。
これらの特性を満足するような中間層としては、電子輸送性構造を有する有機材料をバインダー中に分散させることによって形成した電子輸送層や、ｎ型を示す無機半導体などが例示されるが、これらの特性が静電ハザードによって変動しにくい材料としては、後者に示したようなｎ型の無機半導体材料が好ましい。更に電子写真感光体に代表されるような比較的大面積のデバイス内における電気特性の面内ばらつきを考慮した場合には、非晶質材料であることが好ましい。
前記非晶質酸化物とは、原子配列が不規則な固体状態の酸化物を意味する。この酸化物は高温の流動状態にある酸化物を急冷することによって得られるガラス酸化物半導体と、スパッタリングなどの手法によって比較的低温で形成される非晶質酸化物半導体とに大別することができる。支持体の耐熱性等を考慮した場合、後者で挙げたような非晶質酸化物半導体を選択することが好ましい。
【００１７】
前記中間層に適用することができる非晶質酸化物半導体としては、特に制限はなく、目的に応じて適宜選択することができ、例えば、インジウム酸化物、インジウム、亜鉛及びスズのうち少なくとも２元素を含む非晶質酸化物半導体；インジウム、亜鉛及びガリウムのうち少なくとも２元素を含む非晶質酸化物半導体；インジウム、スズ及び亜鉛のうち少なくとも２元素を含む非晶質酸化物半導体；インジウム、タングステン及び亜鉛のうち少なくとも２元素を含む非晶質酸化物半導体；イットリウム、マンガン及びチタンのうち少なくとも２元素を含む非晶質酸化物半導体（但し、低温製膜により形成可能）、などが挙げられる。これらの中でも、静電的安定性及び電気的伝導性の観点からインジウム、亜鉛及びガリウムの３元素からなる非晶質酸化物半導体が特に好ましい。
【００１８】
−非晶質酸化物半導体の製膜方法−
前記非晶質酸化物半導体の支持体上への成膜方法としては、特に制限はなく、一般に用いられている無機材料の成膜方法の中から適宜選択することができる。
前記一般の成膜方法としては、大別して気相成長法、液相成長法、固相成長法に分けられる。
前記気相成長法としては、更に物理的気相成長法（ＰＶＤ）と化学的気相成長法（ＣＶＤ）とに分類される。
前記物理的気相成長法としては、例えば、真空蒸着、電子ビーム蒸着、レーザーアブレーション法、レーザーアブレーションＭＢＥ、ＭＯＭＢＥ、反応性蒸着、イオンプレーティング、クラスタイオンビーム法、グロー放電スパッタリング、イオンビームスパッタリング、反応性スパッタリングなどが挙げられる。
前記液相成長法としては、例えば、熱ＣＶＤ法、ＭＯＣＶＤ、ＲＦプラズマＣＶＤ、ＥＣＲプラズマＣＶＤ、光ＣＶＤ、レーザーＣＶＤなどが挙げられる。液相法としては、例えば、ＬＰＥ法、電気メッキ法、無電界メッキ法やコーティング法などが挙げられる。固相法としては、例えば、ＳＰＥ、再結晶法、グラフォエピタキシ、ＬＢ法、ゾルゲル法などが例示される。
これらの製膜方法のうち、電子写真感光体のような比較的大面積領域に均質な膜を製膜するためには物理的気相成長法が広く適用されており、本方式の中でも、非晶質酸化物半導体の細かい組成制御が必要である場合にはレーザーアブレーション法が、量産性が必要である場合には各種スパッタリング法が好適である。
【００１９】
次に、非晶質酸化物半導体の製膜条件について、特にスパッタリング法に関する製膜条件について詳述する。
-基板の洗浄−
均質な電気特性を示す非晶質酸化物半導体を得るためには非晶質酸化物半導体を製膜する基板、本発明においては支持体の洗浄は非常に重要となる。清浄な支持体の表面としては、少なくとも支持体（例えばアルミニウム）以外の汚染物質が存在しないことが理想的ではあるが、その状態を達成することは非常に困難である。そこで、必要とされる表面汚染物質量や実験で使用する装置の性能等に応じて、一般に提案されている洗浄手法を適用して、所望の支持体表面をえるとよい。
前記洗浄手法としては、特に制限はなく、目的に応じて適宜選択することができ、例えば、湿式洗浄法、スパッタエッチング法、高温サーマルエッチング法、低温サーマルエッチング法、電子線照射エッチング法、シンクロトロン放射光照射エッチング法、レーザー光照射エッチング法、などが挙げられる。
【００２０】
−ターゲット−
前記非晶質酸化物半導体を支持体上にスパッタリング法で形成するに当たっては、一般に形成した非晶質酸化物半導体の構成元素を含有する多結晶焼結体を用いる。多結晶焼結体に用いる元素としては、成膜する非晶質酸化物半導体の構成元素によって適宜選択するとよい。
また、少なくともインジウム、亜鉛、及びガリウムからなる非晶質酸化物半導体を得るためには、少なくともインジウム、亜鉛、及びガリウムを含有する多結晶焼結体を用いる必要がある。このような多結晶焼結体は、一般に知られているターゲット作製方法によって作製することができる。作製方法の一例としては、酸化インジウム、酸化亜鉛、酸化ガリウムの各粉体を所望の配合比率で配合し、均質になるまでエタノールを用いて湿式混合した後に焼結をすることで得ることが可能である。
また、非晶質酸化物半導体の導電性制御を目的として、予めターゲットに所望の不純物をドープしてもよい。ドープする金属としては、特に制限はなく、目的に応じて適宜選択することができ、例えば、Ｌｉ、Ｎａ、Ｍｎ、Ｎｉ、Ｐｄ、Ｃｕ、Ｃｄ、Ｃ、Ｎ、Ｐ、Ｔｉ、Ｚｒ、Ｖ、Ｒｕ、Ｇｅ、Ｓｎ、Ｆ、などが挙げられる。
【００２１】
−製膜圧力−
前記スパッタリング法においては、製膜時にターゲット上で電界印加によってプラズマを発生させる。このため、スパッタリング法を用いた場合には真空チャンバーなどを用いて減圧雰囲気を形成する必要がある。製膜持の減圧が不十分な場合にはプラズマの形成ができなかったり、プラズマが不安定なため、形成した膜が不均一になるため注意を要する。減圧雰囲気は製膜方法、装置、条件や、所望の膜質などから適宜選択するとよい。
【００２２】
−流入ガス種−
スパッタリング法においては、減圧雰囲気中に不活性ガスと酸素ガスの混合ガスを流入させながらプラズマを形成することによって、対向電極に配置された基板（支持体）上に非晶質酸化物半導体を形成することができる。ここで用いられる不活性ガスとしては、一般に用いられるものであれば特に限定されず、例えば第１８属元素に代表されるようなヘリウム、アルゴン、その他窒素ガスに代表されるガスが例示される。また、前記不純物を添加するために不活性ガス、酸素に加えて１種類以上のガスを併用してもよい。
【００２３】
−酸素分圧−
一般の酸化物半導体は不純物をドープすることなく、酸化物半導体中の酸素量（酸素欠損量）で導電性の制御ができるという特徴を有しており、本発明に記載の非晶質酸化物半導体も同様の性質を有する。本特性は非晶質酸化物半導体の導電性制御が、製膜時の酸素流通量（酸素分圧）のみで制御できることを示しており、中間層における電子輸送性制御の観点からは重要な製膜条件となる。
製膜時に流通する酸素ガスの割合は、装置や後述するその他の条件によっても異なるが、一般に流通する全ガス流量に対して０．０５ｖｏｌ％以上２０ｖｏｌ％以下が好ましく、０．１ｖｏｌ％以上１５ｖｏｌ％以下がより好ましい。前記酸素ガスの割合が２０ｖｏｌ％を超えると、形成される非晶質酸化物半導体のキャリア濃度が低くなりすぎることによって、電子伝導度が極めて低くなることがある。
【００２４】
−ターゲット／基板間距離−
ターゲット／基板間距離を変更することによって前述の非晶質酸化物半導体中の酸素量（酸素欠損量）が変化することが知られている。一般にターゲット／基板間距離を大きくした場合、酸素欠損量が低下し形成した非晶質酸化物半導体が高抵抗体になる。一方で、ターゲット／基板間距離を小さくした場合には、ターゲット表面のプラズマによって基板温度が上昇することによる膜質への影響、またプラズマ自身の非晶質酸化物半導体への影響などによって均質膜の作製が困難になる場合があるため注意を要する。前記ターゲット／基板間距離に関しては製膜方法、装置、その他の製膜条件によって異なるため、所望の電気特性が得られるターゲット／基板距離を選択するとよい。
【００２５】
−基板温度−
スパッタリング法においてはターゲット表面の放電によって基板の温度が上昇しやすい。基板温度の上昇によって、膜の電気特性、緻密性、構造等へ影響があることが知られているため、基板の冷却やターゲット／基板間距離を大きくするなどの方法によって基板温度の制御をすることが好ましい。
【００２６】
−非晶質酸化物半導体の膜質−
本発明において、良好な電子写真特性を示すためには、非晶質酸化物半導体の膜質等にも注意が必要である。
本発明においては中間層が均質な非晶質膜であることが重要となる。前記記載の方法で支持体上に形成した膜が非晶質であることを確認する方法としては、一般にはＸ線回折法による結晶構造解析によって判定される。その他、電子回折法、中性子回折法などの構造解析手法や、形成膜の断面を透過型電子顕微鏡（ＴＥＭ）などの微細構造観察手段を用いた手法を用いて判定してもよい。
また、電子写真特性に影響を及ぼす非晶質酸化物半導体の特徴としては、膜の組成及び組成分布が重要となる。非晶質酸化物半導体の組成解析方法としては、一般に元素解析方法として用いられている手法が適用できるが、例えば、蛍光Ｘ線分析、Ｘ線光電子分光法、オージェ電子分光法、エネルギー分散型Ｘ線分光法などの物質の構成元素解析手法が例示される。
【００２７】
前記中間層として用いる非晶質酸化物半導体の電気特性は、電子写真感光体の電気特性を大きく左右するため、所望の電子写真感光体の電気特性を得るためには中間層に適用する非晶質酸化物半導体の電気特性を適宜選択する必要がある。非晶質酸化物半導体の電気特性として代表的に挙げられるものを以下に示す。
【００２８】
−キャリア濃度−
前記非晶質酸化物半導体は、不純物金属などをドープすることなく、製膜時の酸素流通量によって、その膜中の酸素欠損量（所謂キャリア濃度）をコントロールすることが可能である。また、適宜不純物をドープすることによりキャリア濃度を調整することも可能である。前記キャリア濃度の定量方法としては、一般にＨａｌｌ効果を利用した手法が挙げられる。
【００２９】
−表面抵抗−
前記非晶質酸化物半導体の表面抵抗の測定方法としては、特に制限はなく、一般に用いられる表面抵抗率測定手法を用いることができる。具体的には、表面抵抗率が１０６Ω／ｃｍ２以下の低抵抗体に関してはＪＩＳ  Ｋ  ７１９４などに記載されている定電流印加方式が例示される。また、表面抵抗率が１０６Ω／ｃｍ２以上の高抵抗体に関してはＪＩＳ  Ｋ  ６９１１等に記載されている定電圧印加・漏洩電流測定方式が例示される。また、本手法以外に一般に知られている四探針法や四端子法、二端子法などの手法によって測定してもよい。
【００３０】
−バンドギャップ−
本発明において、非晶質酸化物半導体のバンドギャップも電子写真感光体の特性、特に支持体からのホールブロッキング性に関連があると考えられるため、良好な当該特性を得られるようにバンドギャップ（正確には非晶質酸化物半導体の充満帯における仕事関数）を適宜選択するとよい。
バンドギャップの測定方法としては、電気化学的測定手法や光化学的測定手法などによって測定され、例えば、光化学的測定手法の一つであるＴａｕｃプロットを用いたバンドギャップエネルギー測定法が例示できる。本方法は、一般に、半導体の長波長側の光学吸収端の近傍の比較的吸収の大きい領域において、吸収係数α、光エネルギーｈν（ただし、ｈはプランク常数であり、νは波数である。）及びバンドキャップエネルギーＥ０の間には、下記数式が成り立つと考えられている。
αｈν＝Ｂ（ｈν−Ｅ０）２（ただし、Ｂは定数である。）
したがって、吸収スペクトルを測定し、（αｈν）１／２に対してｈνをプロット（所謂Ｔａｕｃプロット）し、直線区間を外挿したα＝０におけるｈνの値がバンドギャップエネルギーとなる。
バンドギャップは、特に制限はなく、前述の方法を用いても測定してもよいし、電気化学的・光化学的に同義の特性値が得られる場合は、種々の測定方法を用いることができる。
【００３１】
−中間層の厚み−
前記中間層に用いる非晶質酸化物半導体の厚みも電子写真感光体の電気特性に影響を与えると考えられる。現在、露光プロセスにおいて広く用いられている光源は可干渉性の高いレーザー光であるため、入射レーザー光と支持体等からの反射光との干渉によってモアレが生じやすいこと、また支持体と中間層の物理的接触を補償することを目的として、支持体の表面は任意の凹凸を有する場合が多い。このような場合において、前記中間層の厚みが小さい場合には支持体の表面凹凸のために膜厚偏差が大きくなり、部分的な帯電不良が生じる恐れがある。また、本発明のように非晶質酸化物半導体を中間層に用いる場合に、その厚みが大きすぎると膜深度方向での組成ばらつきが大きくなることによる電気特性の場所によるばらつきが生じたり、製膜に要する時間が長くなるために、製膜にかかるコストが非常に大きくなり現実的ではない。
前記中間層の厚みとしては、０．０５μｍ以上１．５μｍ以下が好ましく、０．１μｍ以上０．９μｍ以下がより好ましい。前記中間層の厚みが、０．０５μｍ未満であると、支持体表面を均一に被覆することが困難となり、本発明の効果が十分発揮できなくなることがあり、１．５μｍを超えると、製膜コストが高くなりすぎること、支持体近傍と感光層近傍とで中間層の電気特性が異なるおそれがある。
【００３２】
―電子写真感光体の層構成−
本発明の電子写真感光体は、支持体と、該支持体上に少なくとも中間層、感光層、及び表面層をこの順に有する。
前記感光層としては、電荷発生機能と電荷輸送機能を有していれば単層構造をとっても多層構造をとってもよい。その実施態様の一例を図１〜図３を用いて説明する。
図１に示した電子写真感光体の概略断面図は、感光層が単層の場合の一例であり、支持体３１、中間層３２上に、電荷発生物質と電荷輸送物質を主成分とする感光層３６及び表面層３５が設けられている。ここで、表面層３５は以下に記載する架橋性表面層を示している。
図２及び図３に示した電子写真感光体の概略断面図は、感光層が積層の場合の例であり、支持体３１、中間層３２上に電荷発生機能を担う電荷発生層３３と、電荷輸送機能を担う電荷輸送層３４とを分離して積層した態様のものである。本態様をとる場合は、図示するとおり電荷発生層と電荷輸送層の積層順番は特に限定されることはなく、用途に応じて使い分けることが可能であり、感光体の最表面には表面層３５が積層される。
【００３３】
＜表面層＞
前記表面層は、少なくともバインダー樹脂と、フィラーとを含有してなり、更に必要に応じてその他の成分を含有してなる。
【００３４】
前記表面層において、前記バインダー樹脂中に前記フィラーが分散されていることが好ましい。前記表面層は後述する電荷輸送層に積層して用いることから、少なくとも電荷輸送層が担うべき機能、すなわち電荷輸送機能、帯電性を有する必要がある。前記表面層に電荷輸送機能を付与するためには、後述する電荷輸送層と同じく電荷輸送物質を当該層中に分散させることによって達成することができる。また、帯電性としては、表面層の静電容量と大きな関係がある。周知の通り、誘電体の帯電量はＱ＝ＣＶ（ここでＱは電荷量、Ｃは膜の静電容量、Ｖは帯電ポテンシャルを示す）の関係から決定されることから、一定の電荷量で大きな帯電ポテンシャルを得るためには静電容量が小さいことが重要となる。また、一般の樹脂膜の帯電理論においては、理想的な誘電体ではなく抵抗成分をもった誘電体（すなわち、コンデンサーと抵抗との並列回路）としてとらえられることが多い。そのため、表面層における電荷のリークが少ないことも表面層の帯電ポテンシャルを得るために重要となる。これらのことから、表面層として十分な帯電性を得るためには、静電容量が小さく、抵抗が大きいことが重要となる。また、電荷輸送機能の観点からは、電荷輸送層と表面層界面に物理的な境界面を有しないことが好ましい。これらの電気的特性および本発明に記載している摩耗耐久性を併せ持つ表面層を獲得するためには、以下に示すようなフィラー、バインダー樹脂及び添加剤を適宜選択して用いることができる。
【００３５】
長寿命電子写真感光体を獲得するためには各種電子写真プロセスからのハザードに対して耐久性が高いことが重要となる。ここで言うハザードとしては前記記載の通り、クリーニング部材や転写部材から付与される機械的ハザードと、帯電部材や転写部材から付与される静電ハザードとが挙げられる。前述の通り、静電耐久性に対しては本発明に記載の非晶質半導体を適用することで優れた特性を示すことがわかっており、さらに摩耗耐久性を具備する電子写真感光体であれば、その寿命は飛躍的に向上することが見込まれる。
【００３６】
−フィラー−
本発明では、電子写真感光体に摩耗耐久性を付与することを目的として、バインダー樹脂中に有機系フィラー及び無機系フィラーの少なくともいずれかを分散させた表面層を設けることが好ましい。
前記有機系フィラーとしては、特に制限はなく、目的に応じて適宜選択することができ、例えば、ポリテトラフルオロエチレンのようなフッ素樹脂粉末、シリコ−ン樹脂粉末、カ−ボン粉末などが挙げられる。
前記無機系フィラ−としては、特に制限はなく、目的に応じて適宜選択することができ、例えば、銅、スズ、アルミニウム、インジウムなどの金属粉末、酸化アルミニウム、酸化珪素、シリカ、酸化錫、酸化亜鉛、酸化チタン、酸化インジウム、酸化アンチモン、酸化ビスマス、アンチモンをド−プした酸化錫、錫をド−プした酸化インジウムなどの金属酸化物、チタン酸カリウムなどの無機材料などが挙げられる。
前記フィラーの中でも、フィラーの硬度の点からは、無機系フィラーが好ましく、金属酸化物がより好ましく、酸化アルミニウム、酸化チタン、シリカが更により好ましく、六方最密構造を有するα−アルミナが最も好ましい。
前記フィラーの体積平均粒子径は、０．１μｍ〜２μｍの範囲が好ましく、０．３μｍ〜１．５μｍの範囲がより好ましい。前記フィラーの体積平均粒子径が０．１μｍ未満であると耐摩耗性が充分に発揮されず、２μｍより大きいと塗膜の表面性が悪くなったり、塗工適性が低下することにより塗膜自身の形成が困難になることがある。
本発明におけるフィラーの平均粒径とは、特別な記載のない限り体積平均粒子径であり、超遠心式自動粒度分布測定装置（ＣＡＰＡ−７００、堀場製作所製）により測定し、累積分布の５０％に相当する粒子径（Ｍｅｄｉａｎ系）として算出されたものである。
また、同時に測定される各々の粒子の標準偏差が１μｍ以下であることが重要であることがわかっている。標準偏差の値が１μｍより大きい場合には、粒度分布が広くなり、前述に記載のように電子写真感光体の表面性が悪くなったり、膜形成が困難になることがあり、優れた摩耗耐久性を有する表面層を形成できないことがある。
前記表面層中のフィラー濃度としては、使用するフィラー種により、また感光体を使用する画像形成プロセス条件によっても異なるが、表面層の最表層側において全固形分に対するフィラーの比で５質量％以上が好ましく、１０質量％以上５０質量％以下がより好ましく、１５質量％以上３０質量％以下が特に好ましい。
前記表面層中のフィラー濃度が、表面層の最表層側において全固形分に対するフィラーの比で５質量％未満であると、磨耗耐久性が不十分となり、所望の磨耗耐久性・静電耐久性を兼ね備えた電子写真感光体とならないことがある。一方、前記表面層中のフィラー濃度が前記特に好ましい範囲内であると、優れた磨耗耐久性を得られるといった点で有利である。
【００３７】
また、本発明に記載するようなフィラー分散型表面層においては、使用するフィラーの電気的特性が出力画像に影響を及ぼすことがあるため注意を要する。ここで言う電気的特性としては、フィラー表面の帯電状態や電気抵抗を指す。
通常、液体中に分散している粒子はプラスあるいはマイナスに帯電しており、それを電気的に中性に保とうとして反対の電荷を持つイオンが集まり、そこで電気二重層が形成されることによって粒子の分散状態は安定化している。粒子から遠ざかるに従いその電位（ゼータ電位）は徐々に低くなり、粒子から充分に離れて電気的に中性である領域の電位はゼロとなる。従って、ゼータ電位の絶対値の増加によって粒子の反発力が高くなることによって安定性は高くなり、ゼロに近づくに従い凝集しやすく不安定になる。一方、系のｐＨ値によってゼータ電位は大きく変動し、あるｐＨ値において電位はゼロとなり等電点を持つことになる。従って、系の等電点からできるだけ遠ざけて、ゼータ電位の絶対値を高めることによって分散系の安定化が図られることになる。
本発明の構成においては、フィラーとしては前述の等電点におけるｐＨが、少なくとも５以上を示すものが出力画像の解像度の観点から好ましく、より塩基性を示すフィラーであるほどその効果が高くなる傾向があることが確認された。等電点におけるｐＨが高い塩基性を示すフィラーは、系が酸性であったほうがゼータ電位はより高くなることにより、分散性及びその安定性は向上することになる。
ここで、本発明におけるフィラーのｐＨは、ゼータ電位から等電点におけるｐＨ値を示し、ゼータ電位の測定は、大塚電子（株）製レーザーゼータ電位計にて測定した。
【００３８】
更に、高画質な出力画像を長期に亘って得るためには、表面層に使用するフィラーとしては、電気絶縁性が高いフィラー（比抵抗が１０１０Ω・ｃｍ以上）が好ましく、フィラーのｐＨが５以上を示すものやフィラーの誘電率が５以上を示すものが特に有効に使用できる。
前記フィラーは、ｐＨが５以上のフィラー、及び誘電率が５以上のフィラーのいずれかを単独で使用してもよいし、ｐＨが５以下のフィラーと、ｐＨが５以上のフィラーとを２種類以上を混合して使用してもよいし、誘電率が５以下のフィラーと、誘電率が５以上のフィラーとを２種類以上混合して使用してもよい。
前記フィラーの中でも、高い絶縁性を有し、熱安定性が高い上に、耐摩耗性が高い六方最密構造であるα−アルミナが、高画質及び耐摩耗性の向上の点から特に有用である。
本発明において使用するフィラーの比抵抗は以下のように定義される。フィラーのような粉体は、充填率によりその比抵抗値が異なるので、一定の条件下で測定する必要がある。本発明においては、特開平５−９４０４９号公報（図１参照）、特開平５−１１３６８８号公報（図１参照）に示された測定装置と同様の構成の装置を用いて、フィラーの比抵抗値を測定し、この値を用いた。測定装置において、電極面積は４．０ｃｍ２である。測定前に片側の電極に４ｋｇの荷重を１分間かけ、電極間距離が４ｍｍになるように試料量を調節する。測定の際は、上部電極の重量（１ｋｇ）の荷重状態で測定を行ない、印加電圧は１００Ｖにて測定する。１０６Ω・ｃｍ以上の領域は、ＨＩＧＨ  ＲＥＳＩＳＴＡＮＣＥ  ＭＥＴＥＲ（横河ヒューレットパッカード）、それ以下の領域についてはデジタルマルチメーター（フルーク）により測定した。これにより得られた比抵抗値を本発明でいうところの比抵抗値と定義するものである。
【００３９】
本発明においては、フィラーの分散性向上を目的として少なくとも一種以上の表面処理剤で表面処理させることが可能である。フィラーの分散性の低下は残留電位の上昇だけでなく、塗膜の透明性の低下や塗膜欠陥の発生、さらには耐摩耗性の低下をも引き起こすため、高耐久化あるいは高画質化を妨げる大きな問題に発展する可能性がある。
前記表面処理剤としては、特に制限はなく、従来用いられている表面処理剤すべてを使用することができるが、フィラーの絶縁性を維持できる表面処理剤が好ましく、チタネート系カップリング剤、アルミニウム系カップリング剤、ジルコアルミネート系カップリング剤、高級脂肪酸等、あるいはこれらとシランカップリング剤との混合処理を施したものや、Ａｌ２Ｏ３、ＴｉＯ２、ＺｒＯ２、シリコーン、ステアリン酸アルミニウム等、あるいはそれらの混合処理を施したものがフィラーの分散性及び画像ボケの点からより好ましい。シランカップリング剤による処理は、出力画像に影響を及ぼすが、上記の表面処理剤とシランカップリング剤との混合処理を施すことによりその影響を抑制できる場合がある。
表面処理量としては、用いるフィラーの平均一次粒径によって異なるが、フィラー質量に対して３質量％〜３０質量％が好ましく、５質量％〜２０質量％がより好ましい。前記表面処理量が３質量％未満であると、フィラーの分散効果が得られないことがあり、３０質量％より大きいと残留電位の著しい上昇を引き起こすことがある。
これらフィラー材料は、単独で使用してもよいし、２種類以上混合して使用してもよい。
なお、フィラーの表面処理量は、上述のようにフィラー質量に対して使用する表面処理剤の質量比で定義される。
【００４０】
−バインダー樹脂−
前記バインダー樹脂としては、特に制限はなく、目的に応じて適宜選択することができ、例えば、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート樹脂、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性または熱硬化性樹脂が挙げられる。
また、前記バインダー樹脂としては、電荷輸送機能を有する高分子電荷輸送物質も挙げられる。前記高分子電荷輸送物質としては、特に制限はなく、目的に応じて適宜選択することができ、例えば、アリールアミン骨格、ベンジジン骨格、ヒドラゾン骨格、カルバゾール骨格、スチルベン骨格、ピラゾリン骨格などを有するポリカーボネート、ポリエステル、ポリウレタン、ポリエーテル、ポリシロキサン、アクリル樹脂などの高分子材料、ポリシラン骨格を有する高分子材料などが挙げられる。
【００４１】
−その他の成分−
前記その他の成分としては、本発明の効果を害しない限り特に制限はなく、目的に応じて適宜選択することができ、例えば、電荷輸送物質などが挙げられる。
【００４２】
−−電荷輸送物質−−
前記電荷輸送物質としては、特に制限はなく、目的に応じて適宜選択することができ、例えば、トリアリールアミン、ヒドラゾン、ピラゾリン、カルバゾールなどの正孔輸送性構造を有する正孔輸送物質、縮合多環キノン、ジフェノキノン、シアノ基やニトロ基を有する電子吸引性芳香族環などの電子輸送構造を有する電子輸送物質が挙げられる。
前記正孔輸送物質としては、特に制限はなく、目的に応じて適宜選択することができ、例えば、ポリ−Ｎ−ビニルカルバゾール及びその誘導体、ポリ−γ−カルバゾリルエチルグルタメート及びその誘導体、ピレン−ホルムアルデヒド縮合物及びその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジエン誘導体、ピレン誘導体、ビススチルベン誘導体、エナミン誘導体、その他公知の材料が挙げられる。前記正孔輸送物質は、単独で用いてもよいし、２種以上の混合物として用いてもよい。
前記電子輸送物質としては、特に制限はなく、目的に応じて適宜選択することができ、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４−オン、１，３，７−トリニトロジベンゾチオフェン−５，５−ジオキサイド、ジフェノキノン誘導体などの電子受容性物質が挙げられる。前記電子輸送物質は、単独で用いてもよいし、２種以上の混合物として用いてもよい。
前記電荷輸送物質は、単独で用いてもよいし、２種以上を混合して用いてもよい。前記電荷輸送物質の表面層における含有量としては、表面層全質量に対して２０質量％〜８０質量％が好ましく、３０質量％〜７０質量％がより好ましい。
前記電荷輸送物質の表面層における含有量が、表面層全質量に対して２０質量％未満であると、表面層の電荷輸送性が小さくなることにより所望の光減衰特性が得られないことがあり、８０質量％より大きいと、所望の磨耗耐久性が得られないことがある。一方、前記電荷輸送物質の表面層における含有量が、前記特に好ましい範囲内であると、所望の光減衰特性と磨耗耐久性を兼ね備えた電子写真感光体を得ることができる点で有利である。
【００４３】
また、前記バインダー樹脂の機能と電荷輸送物質の機能を併せ持った高分子電荷輸送物質を用いることもできる。前記高分子電荷輸送物質から構成される表面層は耐摩耗性に優れたものである。
前記高分子電荷輸送物質としては、特に制限はなく、公知の材料が使用できるが、ポリカーボネート、ポリウレタン、ポリエステル及びポリエーテルの中から選ばれる少なくともいずれかの重合体であることが好ましい。特に、トリアリールアミン構造を主鎖及び側鎖の少なくともいずれかに含むポリカーボネートが、磨耗耐久性の点で好ましい。中でも、下記式（１）〜（１０）で表される高分子電荷輸送物質が良好に用いられる。
【化１】
0005298635.tif 000002
式（１）中、Ｒ１、Ｒ２、Ｒ３はそれぞれ独立して置換もしくは無置換のアルキル基又はハロゲン原子、Ｒ４は水素原子又は置換若しくは無置換のアルキル基、Ｒ５、Ｒ６は置換若しくは無置換のアリール基、ｏ、ｐ、ｑはそれぞれ独立して０〜４の整数、ｋ、ｊは組成を表し、０．１≦ｋ≦１、０≦ｊ≦０．９、ｎは繰り返し単位数を表し５〜５，０００の整数である。Ｘは脂肪族の２価基、環状脂肪族の２価基、または下記一般式（Ｉ）又は（ＩＩ）で表される２価基を表す。
【００４４】
【化２】
0005298635.tif 000003
一般式（Ｉ）中、Ｒ１０１、Ｒ１０２は各々独立して置換若しくは無置換のアルキル基、アリール基又はハロゲン原子を表す。ｌ、ｍは０〜４の整数、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す。）を表す。ここで、Ｒ１０１とＲ１０２は、それぞれ同一でも異なってもよい。
【００４５】
【化３】
0005298635.tif 000004
一般式（ＩＩ）中、ａは１〜２０の整数、ｂは１〜２，０００の整数、Ｒ１０３、Ｒ１０４は置換又は無置換のアルキル基又はアリール基を表す。ここで、Ｒ１０３とＲ１０４は、それぞれ同一でも異なってもよい。
【００４６】
【化４】
0005298635.tif 000005
式（２）中、Ｒ７、Ｒ８は置換若しくは無置換のアリール基、Ａｒ１、Ａｒ２、Ａｒ３は同一又は異なるアリレン基を表す。Ｘ、ｋ、ｊ及びｎは、前記式（１）の場合と同じである。
【００４７】
【化５】
0005298635.tif 000006
式（３）中、Ｒ９、Ｒ１０は置換若しくは無置換のアリール基、Ａｒ４、Ａｒ５、Ａｒ６は同一又は異なるアリレン基を表す。Ｘ、ｋ、ｊ及びｎは、前記式（１）の場合と同じである。
【００４８】
【化６】
0005298635.tif 000007
式（４）中、Ｒ１１、Ｒ１２は置換若しくは無置換のアリール基、Ａｒ７、Ａｒ８、Ａｒ９は同一又は異なるアリレン基を表す。Ｘ、ｋ、ｊ及びｎは、前記式（１）の場合と同じである。
【００４９】
【化７】
0005298635.tif 000008
式（５）中、Ｒ１３、Ｒ１４は置換若しくは無置換のアリール基、Ａｒ１０、Ａｒ１１、Ａｒ１２は同一又は異なるアリレン基、Ｘ１、Ｘ２は置換若しくは無置換のエチレン基、又は置換若しくは無置換のビニレン基を表す。Ｘ、ｋ、ｊ及びｎは、前記式（１）の場合と同じである。
【００５０】
【化８】
0005298635.tif 000009
式（６）中、Ｒ１５、Ｒ１６、Ｒ１７、Ｒ１８は置換若しくは無置換のアリール基、Ａｒ１３、Ａｒ１４、Ａｒ１５、Ａｒ１６は同一又は異なるアリレン基、Ｙ１、Ｙ２、Ｙ３は単結合、置換若しくは無置換のアルキレン基、置換若しくは無置換のシクロアルキレン基、置換若しくは無置換のアルキレンエーテル基、酸素原子、硫黄原子、ビニレン基を表し同一であっても異なってもよい。Ｘ、ｋ、ｊ及びｎは、前記式（１）の場合と同じである。
【００５１】
【化９】
0005298635.tif 000010
式（７）中、Ｒ１９、Ｒ２０は水素原子、置換若しくは無置換のアリール基を表し，Ｒ１９とＲ２０は環を形成していてもよい。Ａｒ１７、Ａｒ１８、Ａｒ１９は同一、又は異なるアリレン基を表す。Ｘ、ｋ、ｊ及びｎは、前記式（１）の場合と同じである。
【００５２】
【化１０】
0005298635.tif 000011
式（８）中、Ｒ２１は置換若しくは無置換のアリール基、Ａｒ２０、Ａｒ２１、Ａｒ２２、Ａｒ２３は同一又は異なるアリレン基を表す。Ｘ、ｋ、ｊ及びｎは、前記式（１）の場合と同じである。
【００５３】
【化１１】
0005298635.tif 000012
式（９）中、Ｒ２２、Ｒ２３、Ｒ２４、Ｒ２５は置換若しくは無置換のアリール基、Ａｒ２４、Ａｒ２５、Ａｒ２６、Ａｒ２７、Ａｒ２８は同一又は異なるアリレン基を表す。Ｘ、ｋ、ｊ及びｎは、前記式（１）の場合と同じである。
【００５４】
【化１２】
0005298635.tif 000013
式（１０）中、Ｒ２６、Ｒ２７は置換若しくは無置換のアリール基、Ａｒ２９、Ａｒ３０、Ａｒ３１は同一又は異なるアリレン基を表す。Ｘ、ｋ、ｊ及びｎは、前記式（１）の場合と同じである。
【００５５】
前記表面層は、少なくともバインダー樹脂と、フィラーとを含有する表面層であるが、これ以外に表面層塗工液は、必要に応じて各種可塑剤（応力緩和や接着性向上の目的）、レベリング剤、低分子電荷輸送物質などの添加剤が含有できる。これらの添加剤は公知のものが使用可能であり、可塑剤としてはジブチルフタレート、ジオクチルフタレート等の一般の樹脂に使用されているものが利用可能で、その使用量は塗工液の総固形分に対し２０質量部以下、好ましくは１０質量部以下に抑えられる。また、レベリング剤としては、ジメチルシリコーンオイル、メチルフェニルシリコーンオイル等のシリコーンオイル類や、側鎖にパーフルオロアルキル基を有するポリマーあるいはオリゴマーが利用でき、その使用量は塗工液の総固形分に対し３質量部以下が適当である。
【００５６】
前記表面層は、少なくとも前述のバインダー樹脂と、フィラーとを含有する塗工液を、後述する感光層上に塗布、乾燥することにより形成される。前記塗工液には、表面層に電荷輸送機能を付与する目的で前述の電荷輸送物質を加えてもよい。
【００５７】
前記表面層の構成成分はいずれも常温常圧下で固体であるものが多いため、塗工液作製においては、各構成成分と親和性の高い溶媒を用いる。ここで用いられる溶剤としては、通常用いられるものであれば特に限定されない。例えば、メタノール、エタノール、プロパノール、ブタノールなどのアルコール系、アセトン、メチルエチルケトン、メチルイソブチルケトン、シクロヘキサノンなどのケトン系、酢酸エチル、酢酸ブチルなどのエステル系、テトラヒドロフラン、ジオキサン、プロピルエーテルなどのエーテル系、ジクロロメタン、ジクロロエタン、トリクロロエタン、クロロベンゼンなどのハロゲン系、ベンゼン、トルエン、キシレンなどの芳香族系、メチルセロソルブ、エチルセロソルブ、セロソルブアセテートなどのセロソルブ系などが挙げられる。これらの溶媒は単独または２種以上を混合して用いてもよい。
【００５８】
前記塗工液中におけるフィラーの分散は、ボールミル、サンドミル、ＫＤミル、３本ロールミル、圧力式ホモジナイザー、超音波分散などにより行うことができる。このフィラーの分散が不十分な場合、形成した表面層の表面に大粒径の無機フィラーが頭出し、その結果、クリーニング部材等を傷つけ、クリーニング不良を招いてしまう。このため、上記の方法により無機フィラーの分散を行う際、無機フィラーの平均粒径は１μｍ未満とすることが好ましい。また、無機フィラーを必要以上に粉砕すると、無機フィラーの分散工程において、無機フィラーの再凝集が生じ、その結果、平均粒径の極めて大きな粒子が生成するケースが極めて多い。このことから、使用する無機フィラーの平均粒径は０．１μｍ以上とすることが好ましい。混合フィラーの平均粒径としては、０．３μｍから０．６μｍ程度とすることで、電子写真感光体の高耐久性が享受される。
【００５９】
前記表面層形成の際に用いる塗工方法としては、一般に用いられている塗工方法であれば特に限定されない。塗工液の粘性、所望とする表面層の厚みなどによって適宜塗工方法を選択するとよい。例えば、浸漬塗工法やスプレーコート、ビードコート、リングコート法などが例示される。
【００６０】
前記表面層の厚みとしては、感光層の保護の観点から１μｍ〜１５μｍが好ましく、３μｍ〜１０μｍがより好ましい。前記表面層の厚みが薄い場合には、感光体への当接部材による機械的摩耗や帯電器などによる近接放電などから感光層を保護できなくなるだけでなく、膜形成時にレベリングされにくくなるために、膜表面がゆず肌状になることがある。一方、前記表面層の厚みが厚い場合には、感光体全層が厚くなり、電荷の拡散による画像の再現性が低下するため好ましくない。
【００６１】
前記の手段によって形成した膜は、電子写真特性や膜粘性の観点から、何らかの手段を用いて加熱を行い、上述のような溶媒を膜中から取り除く必要がある。熱エネルギーとしては、空気、窒素などの気体、蒸気、あるいは各種熱媒体、赤外線、電磁波を用いることができ、塗工面側あるいは支持体側から加熱することによって行われる。加熱温度は１００℃以上、１７０℃以下が好ましい。１００℃未満の場合は、膜中の有機溶媒を十分取り除くことができず、電子写真特性の低下や摩耗耐久性低下が生じることが確認されている。一方、１７０℃より高い温度で処理した場合、表面にゆず肌状の欠陥や亀裂が生じたり、隣接層との界面で剥離が生じることがある。また、感光層中の揮発性成分が外部に霧散するなどした場合には、所望の電気特性を得られなくなるなどのことがあるため好ましくない。
【００６２】
なお、前記表面層と前記感光層との間での接着性不良による層間剥離を防ぐことを目的として、必要に応じて両層間に接着層を設けてもよい。
前記接着層としては、ラジカル重合性化合物を用いてもよいし、非架橋系の高分子化合物を用いてもよい。
前記ラジカル重合性化合物としては、特に制限はなく、目的に応じて適宜選択することができる。
前記非架橋系の高分子化合物としては、特に制限はなく、目的に応じて適宜選択することができ、例えばポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリビニルピリジン、セルロース系樹脂、カゼイン、ポリビニルアルコール、ポリビニルピロリドン、などが挙げられる。また、ラジカル重合性化合物と非架橋系高分子化合物はいずれを用いる場合についても単独で用いてもよいし、２種以上の混合物として用いてもよい。更には、十分な接着性が得られるならばラジカル重合性化合物と非架橋系高分子化合物を併用してもよい。また、本発明で用いられる電荷輸送材料を用いても、併用してもよい。また、接着性を向上することを目的とすれば、適宜添加剤を用いてもよい。
前記接着層は、所定の配合に処方された化合物をテトラヒドロフラン、ジオキサン、ジクロロエタン、シクロヘキサン等の溶媒に溶解・分散した塗工液を浸漬塗工法やスプレーコート、ビードコート、リングコートなどで塗工して形成できる。
前記接着層の厚みは、０．１μｍ〜５μｍが好ましく、０．１μｍ〜３μｍがより好ましい。
【００６３】
＜積層型感光層＞
前記積層型感光層は、電荷発生機能及び電荷輸送機能をそれぞれ独立した層が担うため、感光層の層構成としては、少なくとも支持体上に電荷発生層、電荷輸送層が積層された構成を取る。積層順については特に限定されないが、多くの電荷発生材料は化学的安定性に乏しく、電子写真作像プロセスにおける帯電器周辺での放電生成物のような酸性ガスにさらされると電荷発生効率の低下などを引き起こす。このため、電荷発生層の上に電荷輸送層を積層することが好ましい。
【００６４】
−電荷発生層−
前記電荷発生層は、電荷発生機能を有する電荷発生物質を主成分として含有し、必要に応じてバインダー樹脂を併用することもできる。
【００６５】
前記電荷発生物質としては、無機系材料と有機系材料を用いることができる。
前記無機系材料としては、特に制限はなく、目的に応じて適宜選択することができ、例えば、結晶セレン、アモルファス・セレン、セレン−テルル、セレン−テルル−ハロゲン、セレン−ヒ素化合物や、アモルファス・シリコン等が挙げられる。アモルファス・シリコンにおいては、ダングリングボンドを水素原子、ハロゲン原子でターミネートしたものや、ホウ素原子、リン原子等をドープしたものが良好に用いられる。
前記有機系材料としては、特に制限はなく、公知の材料の中から目的に応じて適宜選択することができ、例えば、金属フタロシアニン、無金属フタロシアニン等のフタロシアニン系顔料、アズレニウム塩顔料、スクエアリック酸メチン顔料、カルバゾール骨格を有するアゾ顔料、トリアリールアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系又は多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらの電荷発生物質は、単独又は２種以上の混合物として用いることができる。
【００６６】
前記バインダー樹脂としては、特に制限はなく、目的に応じて適宜選択することができ、例えば、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリビニルピリジン、セルロース系樹脂、カゼイン、ポリビニルアルコール、ポリビニルピロリドン等が挙げられる。これらのバインダー樹脂は、単独又は２種以上の混合物として用いることができる。
前記バインダー樹脂の含有量は、前記電荷発生物質１００質量部に対し５００質量部以下が好ましく、１０質量部〜３００質量部がより好ましい。なお、バインダー樹脂の添加は、分散前あるいは分散後どちらでも構わない。
【００６７】
前記電荷発生層を形成する方法には、真空薄膜作製法と溶液分散系からのキャスティング法とが大きく挙げられる。前者の方法には、真空蒸着法、グロー放電分解法、イオンプレーティング法、スパッタリング法、反応性スパッタリング法、ＣＶＤ法等が用いられ、上述した無機系材料、有機系材料が良好に形成できる。また、後者のキャスティング法によって電荷発生層を設けるには、上述した無機系もしくは有機系電荷発生物質を必要ならばバインダー樹脂と共にテトラヒドロフラン、ジオキサン、ジオキソラン、トルエン、ジクロロメタン、モノクロロベンゼン、ジクロロエタン、シクロヘキサノン、シクロペンタノン、アニソール、キシレン、メチルエチルケトン、アセトン、酢酸エチル、酢酸ブチル等の溶媒を用いてボールミル、アトライター、サンドミル、ビーズミル等により分散し、分散液を適度に希釈して塗布することにより形成できる。また、必要に応じて、ジメチルシリコーンオイル、メチルフェニルシリコーンオイル等のレベリング剤を添加することができる。塗布は、浸漬塗工法やスプレーコート、ビードコート、リングコート法などを用いて行うことができる。
前記電荷発生層の厚みは、０．０１μｍ〜５μｍが好ましく、０．０５μｍ〜２μｍがより好ましい。
【００６８】
−電荷輸送層−
前記電荷輸送層は、電荷輸送機能を有する層であり、電荷輸送物質及びバインダー樹脂を主成分とする層である。
【００６９】
前記電荷輸送物質としては、前記表面層の項で記載した様に、正孔輸送物質と電子輸送物質とが挙げられる。電荷輸送層でも同様の物質を用いることが可能である。
前記バインダー樹脂としては、前記表面層の項で記載したものが挙げられる。
前記輸送物質、及び前記バインダー樹脂は、電荷輸送層の機能を充足するように各々適宜選択して使用することができる。
前記電荷輸送物質の含有量は、前記バインダー樹脂１００質量部に対し、２０質量部〜３００質量部が好ましく、４０質量部〜１５０質量部がより好ましい。ただし、高分子電荷輸送物質を用いる場合は、単独で使用してもよいし、バインダー樹脂と併用してもよい。
【００７０】
前記電荷輸送層は、前記電荷輸送物質及び前記バインダー樹脂を適当な溶剤に溶解乃至分散し、これを塗布し、乾燥することによって形成できる。
前記溶剤としては、例えばテトラヒドロフラン、ジオキサン、トルエン、ジクロロメタン、モノクロロベンゼン、ジクロロエタン、シクロヘキサノン、メチルエチルケトン、アセトンなどが用いられる。これらは単独で使用してもよいし、２種以上混合して使用してもよい。
更に必要に応じて可塑剤、レベリング剤を添加することもできる。電荷輸送層に用いられる可塑剤としては、ジブチルフタレート、ジオクチルフタレート等の一般の樹脂の可塑剤として使用されているものがそのまま使用でき、その使用量は、バインダー樹脂１００質量部に対して３０質量部以下が好ましい。電荷輸送層に併用できるレベリング剤としては、ジメチルシリコーンオイル、メチルフェニルシリコーンオイル等のシリコーンオイル類や、側鎖にパーフルオロアルキル基を有するポリマーあるいはオリゴマーが使用され、その使用量は、バインダー樹脂１００質量部に対して１質量部以下が好ましい。
前記電荷輸送層の厚みは、解像度及び応答性の点から、３０μｍ以下とすることが好ましく、２５μｍ以下がより好ましい。下限値に関しては、使用するシステム（特に帯電電位等）により異なるが、５μｍ以上が好ましい。
【００７１】
＜単層型感光層＞
単層構造の感光層は、電荷発生機能と電荷輸送機能を同時に有する層である。感光層は電荷発生物質及び電荷輸送物質及びバインダー樹脂を適当な溶剤に溶解ないし分散し、これを塗布、乾燥することによって形成できる。また、必要により可塑剤やレベリング剤、酸化防止剤等を添加することもできる。
前記バインダー樹脂としては先に電荷輸送層で挙げたバインダー樹脂のほかに、電荷発生層で挙げたバインダー樹脂を混合して用いてもよい。なお、高分子電荷輸送物質も良好に使用できる。バインダー樹脂１００質量部に対する電荷発生物質の量は５質量部〜４０質量部が好ましく、電荷輸送物質の量は１９０質量部以下が好ましく、５０質量部〜１５０質量部がより好ましい。
前記単層型感光層は、電荷発生物質、バインダー樹脂を電荷輸送物質とともにテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。
前記単層型感光層の厚みは、５μｍ〜２５μｍが好ましい。
【００７２】
本発明の電子写真感光体においては、耐環境性の改善のため、とりわけ、感度低下、残留電位の上昇を防止する目的で、前記表面層、前記電荷輸送層、前記電荷発生層、前記単層型感光層等の各層に酸化防止剤、可塑剤、滑剤、紫外線吸収剤及びレベリング剤を添加することができる。また、塗工液中のフィラー分散性向上のために分散安定剤を添加することができる。
【００７３】
前記酸化防止剤としては、例えば、フェノール系化合物、パラフェニレンジアミン類、ハイドロキノン類、有機硫黄化合物類、有機燐化合物類、などが挙げられる。これらは、１種単独で使用してもよいし、２種以上を併用してもよい。
前記フェノール系化合物としては、例えば、２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネート、２，２’−メチレン−ビス−（４−メチル−６−ｔ−ブチルフェノール）、２，２’−メチレン−ビス−（４−エチル−６−ｔ−ブチルフェノール）、４，４’−チオビス−（３−メチル−６−ｔ−ブチルフェノール）、４，４’−ブチリデンビス−（３−メチル−６−ｔ−ブチルフェノール）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’−ビス（４’−ヒドロキシ−３’−ｔ−ブチルフェニル）ブチリックアッシド］クリコ−ルエステル、トコフェロール類、などが挙げられる。
前記パラフェニレンジアミン類としては、例えば、Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔ−ブチル−ｐ−フェニレンジアミン、などが挙げられる。
前記ハイドロキノン類としては、例えば、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノン、などが挙げられる。
前記有機硫黄化合物類としては、例えば、ジラウリル−３，３’−チオジプロピオネート、ジステアリル−３，３’−チオジプロピオネート、ジテトラデシル−３，３’−チオジプロピオネート、などが挙げられる。
前記有機燐化合物類としては、例えば、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィン、などが挙げられる。
なお、これら化合物は、ゴム、プラスチック、油脂類などの酸化防止剤として知られており、市販品を容易に入手できる。
前記酸化防止剤の添加量は、特に制限はなく、目的に応じて適宜選択することができ、添加する層の総質量に対し０．０１質量部〜１０質量部が好ましい。
【００７４】
前記可塑剤としては、例えば、リン酸エステル系可塑剤、フタル酸エステル系可塑剤、芳香族カルボン酸エステル系可塑剤、脂肪族二塩基酸エステル系可塑剤、脂肪酸エステル誘導体、オキシ酸エステル系可塑剤、エポキシ可塑剤、二価アルコールエステル系可塑剤、含塩素可塑剤、ポリエステル系可塑剤、スルホン酸誘導体、クエン酸誘導体、その他の可塑剤、などが挙げられる。これらは、１種単独で使用してもよいし、２種以上を併用してもよい。
前記リン酸エステル系可塑剤としては、例えば、リン酸トリフェニル、リン酸トリクレジル、リン酸トリオクチル、リン酸オクチルジフェニル、リン酸トリクロルエチル、リン酸クレジルジフェニル、リン酸トリブチル、リン酸トリ−２−エチルヘキシル、リン酸トリフェニル、などが挙げられる。
前記フタル酸エステル系可塑剤としては、例えば、フタル酸ジメチル、フタル酸ジエチル、フタル酸ジイソブチル、フタル酸ジブチル、フタル酸ジヘプチル、フタル酸ジ−２−エチルヘキシル、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フマル酸ジブチル、フマル酸ジオクチル、などが挙げられる。
前記芳香族カルボン酸エステル系可塑剤としては、例えば、トリメリット酸トリオクチル、トリメリット酸トリ−ｎ−オクチル、オキシ安息香酸オクチル、などが挙げられる。
前記脂肪族二塩基酸エステル系可塑剤としては、例えば、アジピン酸ジブチル、アジピン酸ジ−ｎ−ヘキシル、アジピン酸ジ−２−エチルヘキシル、アジピン酸ジ−ｎ−オクチル、アジピン酸−ｎ−オクチル−ｎ−デシル、アジピン酸ジイソデシル、アジピン酸ジカプリル、アゼライン酸ジ−２−エチルヘキシル、セバシン酸ジメチル、セバシン酸ジエチル、セバシン酸ジブチル、セバシン酸ジ−ｎ−オクチル、セバシン酸ジ−２−エチルヘキシル、セバシン酸ジ−２−エトキシエチル、コハク酸ジオクチル、コハク酸ジイソデシル、テトラヒドロフタル酸ジオクチル、テトラヒドロフタル酸ジ−ｎ−オクチル、などが挙げられる。
前記脂肪酸エステル誘導体としては、例えば、オレイン酸ブチル、グリセリンモノオレイン酸エステル、アセチルリシノール酸メチル、ペンタエリスリトールエステル、ジペンタエリスリトールヘキサエステル、トリアセチン、トリブチリン、などが挙げられる。
前記オキシ酸エステル系可塑剤としては、例えば、アセチルリシノール酸メチル、アセチルリシノール酸ブチル、ブチルフタリルブチルグリコレート、アセチルクエン酸トリブチル、などが挙げられる。
前記エポキシ可塑剤としては、例えば、エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシル、などが挙げられる。
前記二価アルコールエステル系可塑剤としては、例えば、ジエチレングリコールジベンゾエート、トリエチレングリコールジ−２−エチルブチラート、などが挙げられる。
前記含塩素可塑剤としては、例えば、塩素化パラフィン、塩素化ジフェニル、塩素化脂肪酸メチル、メトキシ塩素化脂肪酸メチル、などが挙げられる。
前記ポリエステル系可塑剤としては、例えば、ポリプロピレンアジペート、ポリプロピレンセバケート、ポリエステル、アセチル化ポリエステル、などが挙げられる。
前記スルホン酸誘導体としては、例えば、ｐ−トルエンスルホンアミド、ｏ−トルエンスルホンアミド、ｐ−トルエンスルホンエチルアミド、ｏ−トルエンスルホンエチルアミド、トルエンスルホン−Ｎ−エチルアミド、ｐ−トルエンスルホン−Ｎ−シクロヘキシルアミド、などが挙げられる。
前記クエン酸誘導体としては、例えば、クエン酸トリエチル、アセチルクエン酸トリエチル、クエン酸トリブチル、アセチルクエン酸トリブチル、アセチルクエン酸トリ−２−エチルヘキシル、アセチルクエン酸−ｎ−オクチルデシル、などが挙げられる。
前記その他の可塑剤としては、例えば、ターフェニル、部分水添ターフェニル、ショウノウ、２−ニトロジフェニル、ジノニルナフタリン、アビエチン酸メチル、などが挙げられる。
本発明における可塑剤の添加量は、可塑効果を得ることができれば特に制限はなく、目的に応じて適宜選択することができるが、一般に添加する層の総質量に対して０．０１質量部〜１０質量部である。
【００７５】
前記滑剤としては、例えば、炭化水素系化合物、脂肪酸系化合物、脂肪酸アミド系化合物、エステル系化合物、アルコール系化合物、金属石けん、天然ワックス、その他の滑剤、などが挙げられる。これらは、１種単独で使用してもよいし、２種以上を併用してもよい。
前記炭化水素系化合物としては、例えば、流動パラフィン、パラフィンワックス、マイクロワックス、低重合ポリエチレン、などが挙げられる。
前記脂肪酸系化合物としては、例えば、ラウリン酸、ミリスチン酸、パルチミン酸、ステアリン酸、アラキジン酸、ベヘン酸、などが挙げられる。
前記脂肪酸アミド系化合物としては、例えば、ステアリルアミド、パルミチルアミド、オレインアミド、メチレンビスステアロアミド、エチレンビスステアロアミド、などが挙げられる。
前記エステル系化合物としては、例えば、脂肪酸の低級アルコールエステル、脂肪酸の多価アルコールエステル、脂肪酸ポリグリコールエステル、などが挙げられる。
前記アルコール系化合物としては、例えば、セチルアルコール、ステアリルアルコール、エチレングリコール、ポリエチレングリコール、ポリグリセロール、などが挙げられる。
前記金属石けんとしては、例えば、ステアリン酸鉛、ステアリン酸カドミウム、ステアリン酸バリウム、ステアリン酸カルシウム、ステアリン酸亜鉛、ステアリン酸マグネシウム、などが挙げられる。
前記天然ワックスとしては、例えば、カルナバロウ、カンデリラロウ、蜜ロウ、鯨ロウ、イボタロウ、モンタンロウ、などが挙げられる。
前記その他の滑剤としては、例えば、シリコーン化合物、フッ素化合物、などが挙げられる。
本発明における滑剤の添加量は、滑剤の効果を得ることができれば特に制限はなく、目的に応じて適宜選択することができるが、一般に添加する層の総質量に対して０．０１質量部〜１０質量部である。
【００７６】
前記紫外線吸収剤としては、例えば、ベンゾフェノン系化合物、サルシレート系化合物、ベンゾトリアゾール系化合物、シアノアクリレート系化合物、クエンチャー（金属錯塩系）化合物、ＨＡＬＳ（ヒンダードアミン）化合物、などが挙げられる。これらは、１種単独で使用してもよいし、２種以上を併用してもよい。
前記ベンゾフェノン系化合物としては、例えば、２−ヒドロキシベンゾフェノン、２，４−ジヒドロキシベンゾフェノン、２，２’，４−トリヒドロキシベンゾフェノン、２，２’，４，４’−テトラヒドロキシベンゾフェノン、２，２’−ジヒドロキシ４−メトキシベンゾフェノン、などが挙げられる。
前記サルシレート系化合物としては、例えば、フェニルサルシレート、２，４ジ−ｔ−ブチルフェニル３，５−ジ−ｔ−ブチル４ヒドロキシベンゾエート、などが挙げられる。
前記ベンゾトリアゾール系化合物としては、例えば、（２’−ヒドロキシフェニル）ベンゾトリアゾール、（２’−ヒドロキシ５’−メチルフェニル）ベンゾトリアゾール、（２’−ヒドロキシ５’−メチルフェニル）ベンゾトリアゾール、（２’−ヒドロキシ３’−ターシャリブチル５’−メチルフェニル）５−クロロベンゾトリアゾール、などが挙げられる。
前記シアノアクリレート系化合物としては、例えば、エチル−２−シアノ−３，３−ジフェニルアクリレート、メチル２−カルボメトキシ３（パラメトキシ）アクリレート、などが挙げられる。
前記クエンチャー（金属錯塩系）化合物としては、例えば、ニッケル（２，２’チオビス（４−ｔ−オクチル）フェノレート）ノルマルブチルアミン、ニッケルジブチルジチオカルバメート、ニッケルジブチルジチオカルバメート、コバルトジシクロヘキシルジチオホスフェート、などが挙げられる。
前記ＨＡＬＳ（ヒンダードアミン）化合物としては、例えば、ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジン、などが挙げられる。
本発明における紫外線吸収剤の添加量は、紫外線吸収剤の効果を得ることができれば特に制限はなく、目的に応じて適宜選択することができるが、一般に添加する層の総質量に対して０．０１質量部〜１０質量部である。
【００７７】
＜支持体＞
前記支持体としては、体積抵抗１０１０Ω・ｃｍ以下の導電性を示すものであれば特に制限はなく、目的に応じて適宜選択することができ、例えば、アルミニウム、ニッケル、クロム、ニクロム、銅、金、銀、白金などの金属；酸化スズ、酸化インジウムなどの金属酸化物を蒸着又はスパッタリングにより、フィルム状もしくは円筒状のプラスチック、紙に被覆したもの、あるいはアルミニウム、アルミニウム合金、ニッケル、ステンレスなどの板及びそれらを押し出し、引き抜きなどの工法で素管化後、切削、超仕上げ、研摩などの表面処理を施した管などを使用することができる。また、特開昭５２−３６０１６号公報に開示されたエンドレスニッケルベルト、エンドレスステンレスベルトも支持体として用いることができる。
【００７８】
その他、前記支持体上に導電性粉体を適当なバインダー樹脂に分散して塗工したものについても、本発明において支持体として用いることができる。
前記導電性粉体としては、例えば、カーボンブラック、アセチレンブラック、また、アルミニウム、ニッケル、鉄、ニクロム、銅、亜鉛、銀などの金属粉、あるいは導電性酸化スズ、ＩＴＯなどの金属酸化物粉体などが挙げられる。また、同時に用いられるバインダー樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱架橋性樹脂又は光架橋性樹脂が挙げられる。
前記導電性層は、これらの導電性粉体とバインダー樹脂を適当な溶剤、例えば、テトラヒドロフラン、ジクロロメタン、メチルエチルケトン、トルエンなどに分散して塗布することにより設けることができる。
更に、適当な円筒基体上にポリ塩化ビニル、ポリプロピレン、ポリエステル、ポリスチレン、ポリ塩化ビニリデン、ポリエチレン、塩化ゴム、ポリテトラフロロエチレン系フッ素樹脂などの素材に前記導電性粉体を含有させた熱収縮チューブによって導電性層を設けてなるものも、本発明の支持体として良好に用いることができる。
【００７９】
後述するように、電子写真プロセスにおける潜像形成には可干渉性の高いレーザーを用いることがある。前記の通り、支持体には金属材料からなることが多く、その多くは表面反射率が高いと考えられる。この支持体上に本発明の無機半導体材料を適用して電子写真感光体を作製した場合、書き込み光と、支持体からの反射光とで干渉が生じ、画像欠陥が発生することが懸念される。このため、支持体の反射率が高い場合には、支持体の表面に凹凸を施して反射率を低下させることが好ましい。また、素管上に潜在的に存在する突起等も感光層を積層する際に、画像欠陥の原因となってしまう場合があった。これを適切な表面粗さに粗面化することによって突起のない平滑な支持体表面を提供することができる。表面凹凸としてはＪＩＳ  Ｂ０６０１−１９８２に示される手法で測定した算術十点平均表面粗さ（Ｒｚ）を代表特性値として用いた。
【００８０】
前記表面粗さ（Ｒｚ）の測定方法は、例えばサーフコム１４００Ｄ（東京精密株式会社製）を用い、表面粗さ（Ｒｚ）を評価長さ２．５ｍｍ、基準長さ０．５ｍｍに対し測定した。測定箇所は軸方向のドラムの両端から８０ｍｍとドラム中央の３点、周方向９０度の４通り、合計１２点を測定しその平均値をドラムの表面粗さ（Ｒｚ）とした。前記表面粗さ（Ｒｚ）としては０．６μｍ以上であることが好ましい。これよりもＲｚが小さい場合には書き込み光によるモアレが発生しやすいため好ましくない。また、Ｒｚが大きい場合であっても、使用上大きな問題とはならないが、Ｒｚが大きすぎる場合には中間層を均一に形成することが困難となるため注意が必要である。この観点から、支持体の表面粗さ（Ｒｚ）は３．０μｍ以下であることが好ましい。
【００８１】
粗面化の方法としては、ホーニング加工等やセンタレス研磨が挙げられる。前記ホーニング加工は安価で表面粗さ調製が容易であることから好ましく使用される。前記ホーニング加工には乾式及び湿式での処理方法があるがいずれを用いてもよい。湿式（液体）ホーニング加工は、水等の液体に粉末状の研磨剤（砥粒）を懸濁させ、高速度で支持体の表面に吹き付けて粗面化する方法であり、表面粗さは吹き付け圧力、速度、研磨剤の量、種類、形状、大きさ、硬度、比重又は懸濁濃度等により制御することができる。同様に、乾式ホーニング加工は、研磨剤をエアにより、高速度で支持体表面に吹き付けて粗面化する方法であり、湿式ホーニング加工と同じように表面粗さを制御することができる。これら湿式又は乾式ホーニング加工に用いる研磨剤としては、炭化ケイ素、アルミナ、ジルコニア、ステンレス、鉄、ガラスビーズ及びプラスチックショット等の粒子が挙げられる。
しかし、乾式サンドブラストや不定形アルミナ砥粒を用いた液体ホーニングでは、砥粒が支持体表面に突き刺さることがあり、電子写真感光体を作製した時に反転現像系における白画像上の黒ポチ、正転現像系における黒画像上の白抜けとして現れてしまう。ガラスビーズを用いた液体ホーニングでは、ガラスがすぐに割れて支持体表面に突き刺さったり、粗さのコントロールが難しい。そのため、研磨剤として球状アルミナ砥粒やステンレス砥粒等を用いた液体ホーニング加工にて、支持体を粗面化した後、下引き層及び感光層を形成して、電子写真感光体を作製するのが一般的である。また、支持体の粗面化処理においては、処理時間、砥粒使用量、エネルギー使用量、及び、粗面化後の支持体における残留砥粒除去の簡便性等の観点から、干渉縞防止機能を満たす範囲内において極力処理条件をマイルドにし、表面粗さ（Ｒｚ）を小さく抑えることが好ましい。
【００８２】
（画像形成方法及び画像形成装置）
本発明の画像形成装置は、電子写真感光体と、帯電手段と、露光手段と、現像手段と、転写手段とを少なくとも有してなり、更に必要に応じて適宜選択したその他の手段、例えば、定着手段、クリーニング手段、除電手段、リサイクル手段、制御手段等を有してなる。
前記電子写真感光体が、本発明の前記電子写真感光体である。
本発明で用いられる画像形成方法は、帯電工程と、露光工程と、現像工程と、転写工程とを少なくとも含み、更に必要に応じて適宜選択したその他の工程、例えば、定着工程、クリーニング工程、除電工程、リサイクル工程、制御工程等を含んでなる。
【００８３】
本発明で用いられる画像形成方法は、本発明の画像形成装置により好適に実施することができ、前記帯電工程は前記帯電手段により行うことができ、前記露光工程は前記露光手段により行うことができ、前記現像工程は前記現像手段により行うことができ、前記転写工程は前記転写手段により行うことができ、前記定着工程は前記定着手段により行うことができ、前記クリーニング工程は前記クリーニング手段により行うことができ、前記その他の工程は前記その他の手段により行うことができる。
【００８４】
−帯電工程及び帯電手段−
前記帯電工程は、電子写真感光体表面を帯電させる工程であり、前記帯電手段により行われる。
前記帯電手段としては、前記電子写真感光体の表面に電圧を印加して一様に帯電させることができるものであれば特に制限はなく、目的に応じて適宜選択することができるが、電子写真感光体と非接触で帯電させる非接触方式の帯電手段が用いられる。
前記非接触の帯電手段としては、例えば、コロナ放電を利用した非接触帯電器や針電極デバイス、固体放電素子；電子写真感光体に対して微小な間隙をもって配設された導電性又は半導電性の帯電ローラなどが挙げられる。これらの中でも、コロナ放電が特に好ましい。
【００８５】
前記コロナ放電は、空気中のコロナ放電によって発生した正又は負のイオンを電子写真感光体の表面に与える非接触な帯電方法であり、電子写真感光体に一定の電荷量を与える特性を持つコロトン帯電器と、一定の電位を与える特性を持つスコロトロン帯電器とがある。
前記コロトン帯電器は、放電ワイヤの周囲に半空間を占めるケーシング電極とそのほぼ中心に置かれた放電ワイヤとから構成される。
前記スコロトロン帯電器は、前記コロトロン帯電器にグリッド電極を追加したものであり、グリッド電極は電子写真感光体表面から１．０ｍｍ〜２．０ｍｍ離れた位置に設けられている。
【００８６】
−露光工程及び露光手段−
前記露光は、例えば、前記露光手段を用いて前記電子写真感光体の表面を像様に露光することにより行うことができる。
前記露光における光学系は、アナログ光学系とデジタル光学系とに大別される。前記アナログ光学系は、原稿を光学系により直接電子写真感光体上に投影する光学系であり、前記デジタル光学系は、画像情報が電気信号として与えられ、これを光信号に変換して電子写真感光体を露光し作像する光学系である。
前記露光手段としては、前記帯電手段により帯電された前記電子写真感光体の表面に、形成すべき像様に露光を行うことができる限り特に制限はなく、目的に応じて適宜選択することができるが、例えば、複写光学系、ロッドレンズアレイ系、レーザ光学系、液晶シャッタ光学系、ＬＥＤ光学系、などの各種露光器が挙げられる。
なお、本発明においては、前記電子写真感光体の裏面側から像様に露光を行う光背面方式を採用してもよい。
【００８７】
−現像工程及び現像手段−
前記現像工程は、前記静電潜像を、トナー乃至現像剤を用いて現像して可視像を形成する工程である。
前記可視像の形成は、例えば、前記静電潜像を前記トナー乃至前記現像剤を用いて現像することにより行うことができ、前記現像手段により行うことができる。
前記現像手段は、例えば、前記トナー乃至前記現像剤を用いて現像することができる限り、特に制限はなく、公知のものの中から適宜選択することができ、例えば、前記トナー乃至現像剤を収容し、前記静電潜像に該トナー乃至該現像剤を接触又は非接触的に付与可能な現像器を少なくとも有するものが好適に挙げられる。
【００８８】
前記現像器は、乾式現像方式のものであってもよいし、湿式現像方式のものであってもよく、また、単色用現像器であってもよいし、多色用現像器であってもよく、例えば、前記トナー乃至前記現像剤を摩擦攪拌させて帯電させる攪拌器と、回転可能なマグネットローラとを有してなるもの、などが好適に挙げられる。
【００８９】
前記現像器内では、例えば、前記トナーと前記キャリアとが混合攪拌され、その際の摩擦により該トナーが帯電し、回転するマグネットローラの表面に穂立ち状態で保持され、磁気ブラシが形成される。該マグネットローラは、前記電子写真感光体（感光体）近傍に配置されているため、該マグネットローラの表面に形成された前記磁気ブラシを構成する前記トナーの一部は、電気的な吸引力によって該電子写真感光体の表面に移動する。その結果、前記静電潜像が該トナーにより現像されて該電子写真感光体の表面に該トナーによる可視像が形成される。
【００９０】
前記現像器に収容させる現像剤は、前記トナーを含む現像剤であるが、該現像剤としては一成分現像剤であってもよいし、二成分現像剤であってもよい。
【００９１】
−転写工程及び転写手段−
前記転写工程は、前記可視像を記録媒体に転写する工程であるが、中間転写体を用い、該中間転写体上に可視像を一次転写した後、該可視像を前記記録媒体上に二次転写する態様が好ましく、前記トナーとして２色以上、好ましくはフルカラートナーを用い、可視像を中間転写体上に転写して複合転写像を形成する第一次転写工程と、該複合転写像を記録媒体上に転写する第二次転写工程とを含む態様がより好ましい。
前記転写は、例えば、前記可視像を転写帯電器を用いて前記電子写真感光体を帯電することにより行うことができ、前記転写手段により行うことができる。前記転写手段としては、可視像を中間転写体上に転写して複合転写像を形成する第一次転写手段と、該複合転写像を記録媒体上に転写する第二次転写手段とを有する態様が好ましい。
なお、前記中間転写体としては、特に制限はなく、目的に応じて公知の転写体の中から適宜選択することができ、例えば、転写ベルト等が好適に挙げられる。
【００９２】
前記転写手段（前記第一次転写手段、前記第二次転写手段）は、前記電子写真感光体上に形成された前記可視像を前記記録媒体側へ剥離帯電させる転写器を少なくとも有するのが好ましい。前記転写手段は、１つであってもよいし、２つ以上であってもよい。前記転写器としては、例えば、コロナ放電によるコロナ転写器、転写ベルト、転写ローラ、圧力転写ローラ、粘着転写器、などが挙げられる。
なお、記録媒体としては、代表的には普通紙であるが、現像後の未定着像を転写可能なものなら、特に制限はなく、目的に応じて適宜選択することができ、ＯＨＰ用のＰＥＴベース等も用いることができる。
【００９３】
−−定着工程及び定着手段−−
前記定着工程は、記録媒体に転写された可視像を定着装置を用いて定着させる工程であり、各色のトナーに対し前記記録媒体に転写する毎に行ってもよいし、各色のトナーに対しこれを積層した状態で一度に同時に行ってもよい。
【００９４】
前記定着手段としては、特に制限はなく、目的に応じて適宜選択することができるが、定着部材と該定着部材を加熱する熱源とを有するものが用いられる。
前記定着部材としては、例えば、無端状ベルトとローラとの組合せ、ローラとローラとの組合せ、などが挙げられるが、ウォームアップ時間を短縮することができ、省エネルギー化の実現の点で、また、定着可能幅の拡大の点で、熱容量が小さい無端状ベルトとローラとの組合せであるのが好ましい。
【００９５】
−−クリーニング工程及びクリーニング手段−−
前記クリーニング工程は、前記電子写真感光体上に残留する前記トナーを除去する工程であり、クリーニング手段により好適に行うことができる。なお、クリーニング手段を用いることなく、摺擦部材で残留トナーの電荷を揃え、現像ローラで回収する方法を採用することもできる。
前記クリーニング手段としては、特に制限はなく、前記電子写真感光体上に残留する前記電子写真トナーを除去することができればよく、公知のクリーナの中から適宜選択することができ、例えば、磁気ブラシクリーナ、静電ブラシクリーナ、磁気ローラクリーナ、ブレードクリーナ、ブラシクリーナ、ウエブクリーナ等が好適に挙げられる。
【００９６】
−−除電工程及び除電手段−−
前記除電工程は、前記電子写真感光体に対し除電バイアスを印加して除電を行う工程であり、除電手段により好適に行うことができる。
前記除電手段としては、特に制限はなく、前記電子写真感光体に対し除電バイアスを印加することができればよく、公知の除電器の中から適宜選択することができ、例えば、除電ランプ等が好適に挙げられる。
【００９７】
−−リサイクル工程及びリサイクル手段−−
前記リサイクル工程は、前記クリーニング工程により除去した前記トナーを前記現像手段にリサイクルさせる工程であり、リサイクル手段により好適に行うことができる。前記リサイクル手段としては、特に制限はなく、公知の搬送手段等が挙げられる。
【００９８】
−−制御工程及び制御手段−−
前記制御工程は、前記各工程を制御する工程であり、制御手段により好適に行うことができる。
前記制御手段としては、前記各手段の動きを制御することができる限り特に制限はなく、目的に応じて適宜選択することができ、例えば、シークエンサー、コンピュータ等の機器が挙げられる。
【００９９】
次に、図面に基づいて本発明の画像形成装置及びプロセスカートリッジについて詳しく説明する。
本発明の画像形成装置とは、本発明の前記電子写真感光体を用い、例えば少なくとも感光体に帯電、画像露光、現像の過程を経た後、画像保持体（転写紙）へのトナー画像の転写、定着及び感光体表面のクリーニングというプロセスよりなるものである。
なお、場合により、静電潜像を直接記録媒体に転写し現像する画像形成装置では、感光体に配した上記プロセスを必ずしも有するものではない。
【０１００】
図４は、画像形成装置の一例を示す概略図である。感光体を平均的に帯電させる手段として、帯電チャージャ３が用いられる。この帯電手段としては、コロトロンデバイス、スコロトロンデバイス、固体放電素子、針電極デバイス、ローラー帯電デバイス、導電性ブラシデバイス等が用いられ、公知の方式が使用可能である。
次に、均一に帯電された感光体１上に静電潜像を形成するために画像露光部５が用いられる。この光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
次に、感光体１上に形成された静電潜像を可視化するために現像ユニット６が用いられる。現像方式としては、乾式トナーを用いた一成分現像法、二成分現像法、湿式トナーを用いた湿式現像法がある。感光体に正（負）帯電を施し、画像露光を行うと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。
次に、感光体上で可視化されたトナー像を記録媒体９上に転写するために転写チャージャ１０が用いられる。また、転写をより良好に行うために転写前チャージャ７を用いてもよい。これらの転写手段としては、転写チャージャ、バイアスローラーを用いる静電転写方式、粘着転写法、圧力転写法等の機械転写方式、磁気転写方式が利用可能である。静電転写方式としては、前記帯電手段が利用可能である。
次に、記録媒体９を感光体１より分離する手段として分離チャージャ１１、分離爪１２が用いられる。その他分離手段としては、静電吸着誘導分離、側端ベルト分離、先端グリップ搬送、曲率分離等が用いられる。分離チャージャ１１としては、前記帯電手段が利用可能である。
次に、転写後感光体上に残されたトナーをクリーニングするためにファーブラシ１４、クリーニングブレード１５が用いられる。また、クリーニングをより効率的に行うためにクリーニング前チャージャ１３を用いてもよい。その他クリーニング手段としては、ウェブ方式、マグネットブラシ方式等があるが、それぞれ単独又は複数の方式を一緒に用いてもよい。
更に必要に応じて感光体上の潜像を取り除く目的で除電手段が用いられる。除電手段としては除電ランプ２、除電チャージャが用いられ、それぞれ前記露光光源、帯電手段が利用できる。
その他、感光体に近接していない原稿読み取り、給紙、定着、排紙等のプロセスは公知のものが使用できる。
【０１０１】
本発明は、このような画像形成手段に本発明に係る電子写真感光体を用いる画像形成方法及び画像形成装置である。
この画像形成手段は、複写装置、ファクシミリ、プリンタ内に固定して組み込まれていてもよいが、プロセスカートリッジの形態でそれら装置内に組み込まれ、着脱可能としたものであってもよい。プロセスカートリッジの一例を図５に示す。
前記プロセスカートリッジとは、感光体１０１を内蔵し、他に帯電手段１０２、現像手段１０４、転写手段１０６、クリーニング手段１０７、除電手段（不図示）の少なくとも一つを具備し、画像形成装置本体に着脱可能とした装置（部品）である。
図５のプロセスカートリッジによる画像形成プロセスについて示すと、感光体１０１は、矢印方向に回転しながら、帯電手段１０２による帯電、露光手段１０３による露光により、その表面に露光像に対応する静電潜像が形成され、この静電潜像は、現像手段１０４でトナー現像され、該トナー現像は転写手段１０６により、記録媒体１０５に転写され、プリントアウトされる。次いで、像転写後の感光体表面は、クリーニング手段１０７によりクリーニングされ、更に除電手段（不図示）により除電されて、再び以上の操作を繰り返すものである。
【０１０２】
本発明の画像形成方法、画像形成装置、及びプロセスカートリッジは、少なくともバインダー樹脂と、フィラーとを含有する表面層と、非晶質酸化物半導体からなる中間層とを有する本発明の電子写真感光体を用いているので、長期にわたる使用によっても帯電性の低下などの電子写真特性の低下が極めて少なく、欠陥の少ない高品質画像を継続的に得ることができる。
【実施例】
【０１０３】
以下、本発明の実施例を説明するが、本発明は、これらの実施例に何ら限定されるものではない。
【０１０４】
（実施例１）
＜電子写真感光体の作製＞
支持体として表面粗さ（Ｒｚ）が０．９μｍ、直径が３０ｍｍ、長さ３６０ｍｍのアルミニウムシリンダーを準備した。支持体の表面粗さ（Ｒｚ）は、サーフコム１４００Ｄ（東京精密株式会社製）を用い、表面粗さ（Ｒｚ）を評価長さ２．５ｍｍ、基準長さ０．５ｍｍに対し測定した。測定箇所は軸方向のドラムの両端から８０ｍｍとドラム中央の３点、周方向９０度の４通り、合計１２点を測定しその平均値をドラムの表面粗さ（Ｒｚ）とした。
この支持体としてのアルミニウムシリンダーを回転させながら成膜できるように改良したＲＦスパッタ装置を用いて中間層を形成した。スパッタ中の基板温度の過温を防止するためにシリンダー内部に冷却ジャケットを設けた。また、インジウム、亜鉛、及びガリウムを含有する多結晶焼結体〔組成比（Ｉｎ：Ｇａ：Ｚｎ）＝１：１：１〕からなる１５０ｍｍ×４００ｍｍターゲットを用いて、インジウム、亜鉛、及びガリウムからなる非晶質酸化物膜（以下、「Ｉｎ−Ｇａ−ＺｎＯＸ」と称することがある）を中間層として形成した。製膜条件は以下の通りとした。
【０１０５】
・支持体の冷却温度：３０℃
・スパッタ出力：１１．２Ｗ／ｃｍ２
・ターゲット−基板距離：５０ｍｍ
・背圧：５．０×１０−６ｔｏｒｒ以下
・製膜圧力：３．０×１０−３ｔｏｒｒ
・不活性ガス：アルゴン
・酸素分圧：不活性ガスと酸素ガスの総量に対して３ｖｏｌ％
前記条件によって、厚み０．５μｍのＩｎ−Ｇａ−ＺｎＯＸを中間層として形成した。得られた中間層の厚みは、反射分光膜厚計（ＦＥ−３０００、大塚電子株式会社製）により測定した。
【０１０６】
＜非晶質酸化物半導体の表面抵抗率＞
作製した実施例１の厚み０．５μｍの非晶質酸化物半導体の電気抵抗評価として、以下に記載する方法で表面抵抗率を測定した。
非晶質酸化物半導体を形成する基板としては、支持体に代えて無アルカリガラス（コーニング＃１７３７）とし、その他の条件は実施例１に記載の条件で非晶質酸化物半導体を形成し、表面抵抗率測定に供した。表面抵抗率測定に際しては、無アルカリガラス上に形成した非晶質酸化物半導体上に２５μｍギャップ、１０ｍｍ長のＡｕ電極を蒸着により作製し、電極間にバイアスを印加した際の非晶質酸化物半導体中の通過電流を測定する方法で行った。表面抵抗率の測定を場所を変更して１０回実施し、その平均値を算出した結果、厚み０．５μｍの非晶質酸化物半導体の表面抵抗率は５．０×１０６Ω／ｃｍ２であった。
【０１０７】
次に、下記組成の電荷発生層用塗工液、及び電荷輸送層用塗工液を順次塗布し、乾燥することにより、厚み０．２μｍの電荷発生層、及び厚み２０μｍの電荷輸送層を形成した。
【０１０８】
〔電荷発生層用塗工液〕
・下記構造式（１）で表されるビスアゾ顔料・・・２．５質量部
【化１３】
0005298635.tif 000014
・ポリビニルブチラール（ＸＹＨＬ、ＵＣＣ社製）・・・０．５質量部
・シクロヘキサノン・・・２００質量部
・メチルエチルケトン・・・８０質量部
【０１０９】
〔電荷輸送層用塗工液〕
・ビスフェノールＺポリカーボネート（パンライトＴＳ−２０５０、帝人化成株式会社製）・・・１０質量部
・下記構造式（２）で表される低分子電荷輸送物質・・・７質量部
【化１４】
0005298635.tif 000015
・テトラヒドロフラン・・・１００質量部
・１質量％シリコーンオイルのテトラヒドロフラン溶液（ＫＦ５０−１００ＣＳ、信越化学工業株式会社製）・・・１質量部
【０１１０】
次に、下記組成の表面層用塗工液を、支持体と、中間層と、電荷発生層と、電荷輸送層とからなる積層体上にスプレー塗工法を用いて塗布した後、１５０℃で２０分間の乾燥を行うことにより、厚み５μｍの表面層を形成した。これにより、支持体と、中間層と、電荷発生層と、電荷輸送層と、表面層とからなる電子写真感光体を作製した。
〔表面層用塗工液〕
・ビスフェノールＺポリカーボネート（パンライトＴＳ−２０５０、帝人化成株式会社製）・・・４質量部
・上記構造式（２）で表される低分子電荷輸送物質・・・３質量部
・アルミナ微粒子（ＡＡ０３、住友化学株式会社製）・・・３質量部
・テトラヒドロフラン・・・１７０質量部
・シクロヘキサノン・・・５０質量部
【０１１１】
＜非晶質酸化物半導体の構造解析＞
実施例１で作製したインジウム、亜鉛、及びガリウムからなる酸化物半導体が、非晶質であることをＸ線回折法による結晶構造解析によって評価した。
〔Ｘ線回折  評価方法〕
・評価装置：Ｘ線回折装置  Ｘ’  Ｐａｒｔ  Ｐｒｏ  （フィリップス社製）
・Ｘ線発生源：Ｃｕ（封入管）
・フィルター：なし
・スキャン軸：２θ／θ
・測定角範囲：１０°〜１００°
測定結果を図６に示す。この図６の結果から、作製した中間層は非晶質酸化物半導体であることが分かった。
【０１１２】
＜非晶質酸化物半導体の組成＞
実施例１で作製した非晶質酸化物半導体の構成成分及び組成比率を、下記の蛍光Ｘ線分析法を用いて評価した。また、非晶質酸化物半導体の深度方向の組成プロファイルを、下記のオージェ電子分光法を用いて評価した。
〔蛍光Ｘ線法  評価方法〕
・測定装置：波長分散型蛍光Ｘ線分析装置（ＲＩＸ３０００、理学電機株式会社製）
・Ｘ線管球：Ｒｈ
・出力：５０ｋＶ
・電流：５０ｍＡ
本条件での評価結果から、実施例１で得られた非晶質酸化物半導体はインジウム、亜鉛、及びガリウムからなる酸化物であり、その組成比がＩｎ：Ｚｎ：Ｇａ＝１００：１１２：１１７である非晶質酸化物半導体であることが分かった。
〔オージェ電子分光法  評価方法〕
・測定装置：ＦＥ−ＳＡＭ６８０（ファイ社製）
・加速電圧：１０ｋＶ
・電流量：１０ｎＡ
・スパッタエッチング条件：Ａｒイオン／加速電圧１ｋＶ
測定結果を図７に示す。この図７の結果から、各構成元素（インジウム、亜鉛、ガリウム、酸素）の深度方向のばらつきはほとんどなく、極めて均質な非晶質酸化物半導体であることが分かった。
【０１１３】
（実施例２）
−電子写真感光体の作製−
実施例１の表面層用塗工液を下記の表面層用塗工液に変更した以外は、実施例１と同様にして、電子写真感光体を作製した。
〔表面層用塗工液〕
・ビスフェノールＺポリカーボネート（パンライトＴＳ−２０５０、帝人化成株式会社製）・・・４質量部
・上記構造式（２）で表される低分子電荷輸送物質・・・３質量部
・シリカ微粒子（ＫＭＰＸ１００、信越化学工業株式会社製）・・・３質量部
・テトラヒドロフラン・・・１７０質量部
・シクロヘキサノン・・・５０質量部
【０１１４】
（実施例３）
−電子写真感光体の作製−
実施例１の表面層用塗工液を下記の表面層用塗工液に変更した以外は、実施例１と同様にして、電子写真感光体を作製した。
〔表面層用塗工液〕
・ビスフェノールＺポリカーボネート（パンライトＴＳ−２０５０、帝人化成株式会社製）・・・４質量部
・上記構造式（２）で表される低分子電荷輸送物質・・・３質量部
・チタニア微粒子（ＣＲ９７、石原産業株式会社製）・・・３質量部
・テトラヒドロフラン・・・１７０質量部
・シクロヘキサノン・・・５０質量部
【０１１５】
（実施例４）
−電子写真感光体の作製−
実施例１の表面層用塗工液に用いたビスフェノールＺポリカーボネートをポリアリレート樹脂（Ｕ−６０００、ユニチカ株式会社製）４質量部に変更した以外は、実施例１と同様にして、電子写真感光体を作製した。
【０１１６】
（実施例５）
−電子写真感光体の作製−
実施例２の表面層用塗工液に用いたビスフェノールＺポリカーボネートをポリアリレート樹脂（Ｕ−６０００、ユニチカ株式会社製）４質量部に変更した以外は、実施例２と同様にして、電子写真感光体を作製した。
【０１１７】
（実施例６）
−電子写真感光体の作製−
実施例３の表面層用塗工液に用いたビスフェノールＺポリカーボネートをポリアリレート樹脂（Ｕ−６０００、ユニチカ株式会社製）４質量部に変更した以外は、実施例３と同様にして、電子写真感光体を作製した。
【０１１８】
（実施例７）
−電子写真感光体の作製−
実施例１の表面層用塗工液を下記の表面層用塗工液に変更した以外は、実施例１と同様にして、電子写真感光体を作製した。
〔表面層用塗工液〕
・下記構造式（３）で表される高分子電荷輸送物質（分子量  Ｍｗ  １３０，０００）・・・７質量部
【化１５】
0005298635.tif 000016
・アルミナ微粒子（ＡＡ０３、住友化学株式会社製）・・・３質量部
・テトラヒドロフラン・・・１７０質量部
・シクロヘキサノン・・・５０質量部
【０１１９】
（実施例８）
−電子写真感光体の作製−
実施例１の表面層用塗工液を下記の表面層用塗工液に変更した以外は、実施例１と同様にして、電子写真感光体を作製した。
〔表面層用塗工液〕
・上記構造式（３）で表される高分子電荷輸送物質（分子量  Ｍｗ  １３０，０００）・・・７質量部
・シリカ微粒子（ＫＭＰＸ１００、信越化学工業株式会社製）・・・３質量部
・テトラヒドロフラン・・・１７０質量部
・シクロヘキサノン・・・５０質量部
【０１２０】
（実施例９）
−電子写真感光体の作製−
実施例１の表面層用塗工液を下記の表面層用塗工液に変更した以外は、実施例１と同様にして、電子写真感光体を作製した。
〔表面層用塗工液〕
・上記構造式（３）で表される高分子電荷輸送物質（分子量  Ｍｗ  １３０，０００）・・・７質量部
・チタニア微粒子（ＣＲ９７、石原産業株式会社製）・・・３質量部
・テトラヒドロフラン・・・１７０質量部
・シクロヘキサノン・・・５０質量部
【０１２１】
（実施例１０）
−電子写真感光体の作製−
実施例１の支持体の表面粗さ（Ｒｚ）を０．２μｍとした以外は、実施例１と同様にして、電子写真感光体を作製した。
【０１２２】
（実施例１１）
−電子写真感光体の作製−
実施例４の支持体の表面粗さ（Ｒｚ）を０．２μｍとした以外は、実施例４と同様にして、電子写真感光体を作製した。
【０１２３】
（実施例１２）
−電子写真感光体の作製−
実施例７の支持体の表面粗さ（Ｒｚ）を０．２μｍとした以外は、実施例７と同様にして、電子写真感光体を作製した。
【０１２４】
（実施例１３）
−電子写真感光体の作製−
実施例１の表面層用塗工液に用いたアルミナ微粒子をアルミナ微粒子（ＡＫＰ−Ｇ００８／θ−アルミナ、住友化学株式会社製）３質量部に変更した以外は、実施例１と同様にして、電子写真感光体を作製した。
【０１２５】
（実施例１４）
−電子写真感光体の作製−
実施例１の表面層用塗工液に用いたアルミナ微粒子をアルミナ微粒子（ＡＫＰ−Ｇ０１５／γ−アルミナ、住友化学株式会社製）３質量部に変更した以外は、実施例１と同様にして、電子写真感光体を作製した。
【０１２６】
（実施例１５）
−電子写真感光体の作製−
実施例１の中間層の厚みを０．０５μｍ（実施例１に記載の製膜条件で製膜し、製膜時間のみを実施例１の１０分の１にして作製）とした以外は、実施例１と同様にして、電子写真感光体を作製した。
【０１２７】
（実施例１６）
−電子写真感光体の作製−
実施例１の中間層の厚みを０．１５μｍ（実施例１に記載の製膜条件で製膜し、製膜時間のみを実施例１の１０分の３にして作製）とした以外は、実施例１と同様にして、電子写真感光体を作製した。
【０１２８】
（実施例１７）
−電子写真感光体の作製−
実施例１の中間層の厚みを０．８μｍ（実施例１に記載の製膜条件で製膜し、製膜時間のみを実施例１の１．６倍にして作製）とした以外は、実施例１と同様にして、電子写真感光体を作製した。
【０１２９】
（実施例１８）
−電子写真感光体の作製−
実施例１の中間層の厚みを１．０μｍ（実施例１に記載の製膜条件で製膜し、製膜時間のみを実施例１の２倍にして作製）とした以外は、実施例１と同様にして、電子写真感光体を作製した。
【０１３０】
（実施例１９）
−電子写真感光体の作製−
実施例４の中間層作製方法のうち、インジウム、亜鉛、及びガリウムを含有する多結晶焼結体をインジウム、亜鉛、及びガリウムの組成比（Ｉｎ：Ｇａ：Ｚｎ）が１：１．５：１である多結晶焼結体に変更した以外は、実施例４と同様にして、電子写真感光体を作製した。
得られた実施例１９の電子写真感光体について実施例１で記載した評価方法を用いて非晶質酸化物半導体の組成比を測定した結果、組成比（Ｉｎ：Ｚｎ：Ｇａ）は１００：１０８：１３７であった。
実施例１と同様にして測定した非晶質酸化物半導体の表面抵抗率は４．９×１０７Ω／ｃｍ２であった。
【０１３１】
（実施例２０）
−電子写真感光体の作製−
実施例４の中間層作製方法のうち、インジウム、亜鉛、及びガリウムを含有する多結晶焼結体をインジウム、亜鉛、及びガリウムの組成比（Ｉｎ：Ｇａ：Ｚｎ）が１：０．７５：１である多結晶焼結体に変更した以外は、実施例４と同様にして、電子写真感光体を作製した。
得られた実施例２０の電子写真感光体について実施例１で記載した評価方法を用いて非晶質酸化物半導体の組成比を測定した結果、組成比（Ｉｎ：Ｚｎ：Ｇａ）は１００：１１０：１０５であった。
実施例１と同様にして測定した非晶質酸化物半導体の表面抵抗率は６．２×１０５Ω／ｃｍ２であった。
【０１３２】
（参考例２１）
−電子写真感光体の作製−
実施例１の中間層作製方法のうち、インジウム、亜鉛、及びガリウムを含有する多結晶焼結体をインジウム、及びガリウムの組成比（Ｉｎ：Ｇａ）が１：１である多結晶焼結体に変更した以外は、実施例１と同様にして、電子写真感光体を作製した。
得られた参考例２１の電子写真感光体について実施例１で記載した評価方法を用いて非晶質酸化物半導体の組成比を測定した結果、組成比（Ｉｎ：Ｇａ）は１００：１２５であった。
実施例１と同様にして測定した非晶質酸化物半導体の表面抵抗率は６．７×１０７Ω／ｃｍ２であった。
【０１３３】
（参考例２２）
−電子写真感光体の作製−
実施例１の中間層作製方法のうち、インジウム、亜鉛、及びガリウムを含有する多結晶焼結体をインジウム、及び亜鉛の組成比（Ｉｎ：Ｚｎ）が１：１である多結晶焼結体に変更した以外は、実施例１と同様にして、電子写真感光体を作製した。
得られた参考例２２の電子写真感光体について実施例１で記載した評価方法を用いて非晶質酸化物半導体の組成比を測定した結果、組成比（Ｉｎ：Ｚｎ）は１００：１１１であった。
実施例１と同様にして測定した非晶質酸化物半導体の表面抵抗率は７．５×１０６Ω／ｃｍ２であった。
【０１３４】
（実施例２３）
−電子写真感光体の作製−
実施例１の表面層用塗工液を下記の表面層用塗工液に変更した以外は、実施例１と同様にして、電子写真感光体を作製した。
〔表面層用塗工液〕
・ビスフェノールＺポリカーボネート（パンライトＴＳ−２０５０、帝人化成株式会社製）・・・１２質量部
・上記構造式（２）で表される低分子電荷輸送物質・・・９質量部
・アルミナ微粒子（Ｆｌｕｏｒｏ−Ａ、Ｓｈａｍｒｏｃｋ  Ｔｅｃｈｎｏｌｏｇｉｅｓ社製）・・・８質量部
・テトラヒドロフラン・・・１６０質量部
・シクロヘキサノン・・・４０質量部
【０１３５】
（比較例１）
−電子写真感光体の作製−
実施例１で用いた支持体（表面粗さ（Ｒｚ）が０．９μｍ、直径が３０ｍｍ、長さ３６０ｍｍのアルミニウムシリンダー）上に、実施例１で用いた電荷発生層用塗工液、電荷輸送層用塗工液を順次塗布、乾燥することにより、厚み０．２μｍの電荷発生層、及び厚み２０μｍの電荷輸送層を形成し、これにより、支持体と、電荷発生層と、電荷輸送層とからなる電子写真感光体を作製した。
【０１３６】
（比較例２）
−電子写真感光体の作製−
比較例１で得た電子写真感光体上に下記組成の表面層用塗工液をスプレー塗工法で塗布した後、１５０℃で２０分間乾燥することにより、厚み５μｍの表面層を形成し、これにより、支持体と、電荷発生層と、電荷輸送層と、表面層とからなる電子写真感光体を作製した。
【０１３７】
〔表面層用塗工液〕
・ビスフェノールＺポリカーボネート（パンライトＴＳ−２０５０、帝人化成株式会社製）・・・４質量部
・上記構造式（２）で表される低分子電荷輸送物質・・・３質量部
・テトラヒドロフラン・・・１７０質量部
・シクロヘキサノン・・・５０質量部
【０１３８】
（比較例３）
−電子写真感光体の作製−
比較例１で得た電子写真感光体上に下記組成の表面層用塗工液をスプレー塗工法で塗布した後、１５０℃で２０分間乾燥することにより、厚み５μｍの表面層を形成し、これにより、支持体と、電荷発生層と、電荷輸送層と、表面層とからなる電子写真感光体を作製した。
〔表面層用塗工液〕
・ビスフェノールＺポリカーボネート（パンライトＴＳ−２０５０、帝人化成株式会社製）・・・４質量部
・上記構造式（２）で表される低分子電荷輸送物質・・・３質量部
・アルミナ微粒子（ＡＡ０３、住友化学株式会社製）・・・３質量部
・テトラヒドロフラン・・・１７０質量部
・シクロヘキサノン・・・５０質量部
【０１３９】
（比較例４）
−電子写真感光体の作製−
比較例１で得た電子写真感光体上に下記組成の表面層用塗工液をスプレー塗工法で塗布した後、１５０℃で２０分間乾燥することにより、厚み５μｍの表面層を形成し、これにより、支持体と、電荷発生層と、電荷輸送層と、表面層とからなる電子写真感光体を作製した。
〔表面層用塗工液〕
・上記構造式（３）で表される高分子電荷輸送物質（分子量  Ｍｗ  １３０，０００）・・・７質量部
・テトラヒドロフラン・・・１７０質量部
・シクロヘキサノン・・・５０質量部
【０１４０】
（比較例５）
−電子写真感光体の作製−
比較例１で得た電子写真感光体上に下記組成の表面層用塗工液をスプレー塗工法で塗布した後、１５０℃で２０分間乾燥することにより、厚み５μｍの表面層を形成し、これにより、支持体と、電荷発生層と、電荷輸送層と、表面層とからなる電子写真感光体を作製した。
〔表面層用塗工液〕
・上記構造式（３）で表される高分子電荷輸送物質（分子量  Ｍｗ  １３０，０００）・・・７質量部
・アルミナ微粒子（ＡＡ０３、住友化学株式会社製）・・・３質量部
・テトラヒドロフラン・・・１７０質量部
・シクロヘキサノン・・・５０質量部
【０１４１】
（比較例６）
−電子写真感光体の作製−
実施例１で用いた支持体（表面粗さ（Ｒｚ）が０．９μｍ、直径が３０ｍｍ、長さ３６０ｍｍのアルミニウムシリンダー）上に、下記組成の中間層用塗工液、実施例１で用いた電荷発生層用塗工液、及び実施例１で用いた電荷輸送層用塗工液を順次、塗布し、乾燥することにより、厚み３．５μｍの中間層、厚み０．２μｍの電荷発生層、及び厚み２０μｍの電荷輸送層を形成し、これにより、支持体と、中間層と、電荷発生層と、電荷輸送層とからなる電子写真感光体を作製した。
〔中間層用塗工液〕
・アルキッド樹脂（ベッコゾール１３０７−６０−ＥＬ、大日本インキ化学工業株式会社製）・・・６質量部
・メラミン樹脂（スーパーベッカミン  Ｇ−８２１−６０、大日本インキ化学工業株式会社製）・・・４質量部
・酸化チタン・・・４０質量部
・メチルエチルケトン・・・５０質量部
【０１４２】
（比較例７）
−電子写真感光体の作製−
比較例６に記載の方法で形成した支持体と、中間層と、電荷発生層と、電荷輸送層とからなる電子写真感光体上に、比較例２に記載の表面層用塗工液をスプレー塗工法で塗布した後、１５０℃で２０分間乾燥することにより、厚み５μｍの表面層を形成し、これにより、支持体と、中間層と、電荷発生層と、電荷輸送層と、表面層とからなる電子写真感光体を作製した。
【０１４３】
（比較例８）
−電子写真感光体の作製−
比較例６に記載の方法で形成した支持体と、中間層と、電荷発生層と、電荷輸送層とからなる電子写真感光体上に、比較例３に記載の表面層用塗工液をスプレー塗工法で塗布した後、１５０℃で２０分間乾燥することにより、厚み５μｍの表面層を形成し、これにより、支持体と、中間層と、電荷発生層と、電荷輸送層と、表面層とからなる電子写真感光体を作製した。
【０１４４】
（比較例９）
−電子写真感光体の作製−
比較例６に記載の方法で形成した支持体と、中間層と、電荷発生層と、電荷輸送層とからなる電子写真感光体上に、比較例４に記載の表面層用塗工液をスプレー塗工法で塗布した後、１５０℃で２０分間乾燥することにより、厚み５μｍの表面層を形成し、これにより、支持体と、中間層と、電荷発生層と、電荷輸送層と、表面層とからなる電子写真感光体を作製した。
【０１４５】
（比較例１０）
−電子写真感光体の作製−
比較例６に記載の方法で形成した支持体と、中間層と、電荷発生層と、電荷輸送層とからなる電子写真感光体上に、比較例５に記載の表面層用塗工液をスプレー塗工法で塗布した後、１５０℃で２０分間乾燥することにより、厚み５μｍの表面層を形成し、これにより、支持体と、中間層と、電荷発生層と、電荷輸送層と、表面層とからなる電子写真感光体を作製した。
【０１４６】
（比較例１１）
−電子写真感光体の作製−
比較例６の中間層用塗工液を以下の組成に変更し、中間層の厚みを２．０μｍとした以外は、比較例６と同様にして、電子写真感光体を作製した。
〔中間層用塗工液〕
・アルキッド樹脂（ベッコゾール１３０７−６０−ＥＬ、大日本インキ化学工業株式会社製）・・・６質量部
・メラミン樹脂（スーパーベッカミン  Ｇ−８２１−６０、大日本インキ化学工業株式会社製）・・・４質量部
・メチルエチルケトン・・・５０質量部
【０１４７】
（比較例１２）
−電子写真感光体の作製−
比較例７の中間層用塗工液を以下の組成に変更し、中間層の厚みを２．０μｍとした以外は、比較例７と同様にして、電子写真感光体を作製した。
〔中間層用塗工液〕
・アルキッド樹脂（ベッコゾール１３０７−６０−ＥＬ、大日本インキ化学工業株式会社製）・・・６質量部
・メラミン樹脂（スーパーベッカミン  Ｇ−８２１−６０、大日本インキ化学工業株式会社製）・・・４質量部
・メチルエチルケトン・・・５０質量部
【０１４８】
（比較例１３）
−電子写真感光体の作製−
比較例８の中間層用塗工液を以下の組成に変更し、中間層の厚みを２．０μｍとした以外は、比較例８と同様にして、電子写真感光体を作製した。
〔中間層用塗工液〕
・アルキッド樹脂（ベッコゾール１３０７−６０−ＥＬ、大日本インキ化学工業株式会社製）・・・６質量部
・メラミン樹脂（スーパーベッカミン  Ｇ−８２１−６０、大日本インキ化学工業株式会社製）・・・４質量部
・メチルエチルケトン・・・５０質量部
【０１４９】
（比較例１４）
−電子写真感光体の作製−
比較例９の中間層用塗工液を以下の組成に変更し、中間層の厚みを２．０μｍとした以外は、比較例９と同様にして、電子写真感光体を作製した。
〔中間層用塗工液〕
・アルキッド樹脂（ベッコゾール１３０７−６０−ＥＬ、大日本インキ化学工業株式会社製）・・・６質量部
・メラミン樹脂（スーパーベッカミン  Ｇ−８２１−６０、大日本インキ化学工業株式会社製）・・・４質量部
・メチルエチルケトン・・・５０質量部
【０１５０】
（比較例１５）
−電子写真感光体の作製−
比較例１０の中間層用塗工液を以下の組成に変更し、中間層の厚みを２．０μｍとした以外は、比較例１０と同様にして、電子写真感光体を作製した。
〔中間層用塗工液〕
・アルキッド樹脂（ベッコゾール１３０７−６０−ＥＬ、大日本インキ化学工業株式会社製）・・・６質量部
・メラミン樹脂（スーパーベッカミン  Ｇ−８２１−６０、大日本インキ化学工業株式会社製）・・・４質量部
・メチルエチルケトン・・・５０質量部
【０１５１】
（比較例１６）
−電子写真感光体の作製−
表面層を形成しない以外は、実施例１と同様にして、支持体と、中間層と、電荷発生層と、電荷輸送層とからなる電子写真感光体を作製した。
【０１５２】
（比較例１７）
−電子写真感光体の作製−
実施例１と同様にして、支持体と、中間層と、電荷発生層と、電荷輸送層とからなる積層体上に、比較例２に記載の表面層用塗工液をスプレー塗工法で塗布した後、１５０℃で２０分間乾燥することにより、厚み５μｍの表面層を形成し、これにより、支持体と、中間層と、電荷発生層と、電荷輸送層と、表面層とからなる電子写真感光体を作製した。
【０１５３】
（比較例１８）
−電子写真感光体の作製−
実施例１と同様にして、支持体と、中間層と、電荷発生層と、電荷輸送層とからなる積層体上に、比較例４に記載の表面層用塗工液をスプレー塗工法で塗布した後、１５０℃で２０分間乾燥することにより、厚み５μｍの表面層を形成し、これにより、支持体と、中間層と、電荷発生層と、電荷輸送層と、表面層とからなる電子写真感光体を作製した。
【０１５４】
（比較例１９）
−電子写真感光体の作製−
比較例６の中間層を、実施例１に記載の改造ＲＦスパッタ装置を用いて、下記の条件で作製した結晶性酸化物である酸化スズとした以外は、比較例６と同様にして、電子写真感光体を作製した。
〔中間層形成方法〕
・ターゲット：酸化スズからなる多結晶焼結体
・支持体の冷却温度：３０℃
・スパッタ出力：１１．２Ｗ／ｃｍ２
・ターゲット−基板距離：５０ｍｍ
・背圧：５．０×１０−６ｔｏｒｒ以下
・製膜圧力：３．０×１０−３ｔｏｒｒ
・不活性ガス：アルゴン
・酸素分圧：不活性ガスと酸素ガスの総量に対して５ｖｏｌ％
【０１５５】
（比較例２０）
−電子写真感光体の作製−
比較例７の中間層を、実施例１に記載の改造ＲＦスパッタ装置を用いて、下記の条件で作製した結晶性酸化物である酸化スズとした以外は、比較例７と同様にして、電子写真感光体を作製した。
〔中間層形成方法〕
・ターゲット：酸化スズからなる多結晶焼結体
・支持体の冷却温度：３０℃
・スパッタ出力：１１．２Ｗ／ｃｍ２
・ターゲット−基板距離：５０ｍｍ
・背圧：５．０×１０−６ｔｏｒｒ以下
・製膜圧力：３．０×１０−３ｔｏｒｒ
・不活性ガス：アルゴン
・酸素分圧：不活性ガスと酸素ガスの総量に対して５ｖｏｌ％
【０１５６】
（比較例２１）
−電子写真感光体の作製−
比較例８の中間層を、実施例１に記載の改造ＲＦスパッタ装置を用いて、下記の条件で作製した結晶性酸化物である酸化スズとした以外は、比較例８と同様にして、電子写真感光体を作製した。
〔中間層形成方法〕
・ターゲット：酸化スズからなる多結晶焼結体
・支持体の冷却温度：３０℃
・スパッタ出力：１１．２Ｗ／ｃｍ２
・ターゲット−基板距離：５０ｍｍ
・背圧：５．０×１０−６ｔｏｒｒ以下
・製膜圧力：３．０×１０−３ｔｏｒｒ
・不活性ガス：アルゴン
・酸素分圧：不活性ガスと酸素ガスの総量に対して５ｖｏｌ％
【０１５７】
（比較例２２）
−電子写真感光体の作製−
比較例９の中間層を、実施例１に記載の改造ＲＦスパッタ装置を用いて、下記の条件で作製した結晶性酸化物である酸化スズとした以外は、比較例９と同様にして、電子写真感光体を作製した。
〔中間層形成方法〕
・ターゲット：酸化スズからなる多結晶焼結体
・支持体の冷却温度：３０℃
・スパッタ出力：１１．２Ｗ／ｃｍ２
・ターゲット−基板距離：５０ｍｍ
・背圧：５．０×１０−６ｔｏｒｒ以下
・製膜圧力：３．０×１０−３ｔｏｒｒ
・不活性ガス：アルゴン
・酸素分圧：不活性ガスと酸素ガスの総量に対して５ｖｏｌ％
【０１５８】
（比較例２３）
−電子写真感光体の作製−
比較例１０の中間層を、実施例１に記載の改造ＲＦスパッタ装置を用いて、下記の条件で作製した結晶性酸化物である酸化スズとした以外は、比較例１０と同様にして、電子写真感光体を作製した。
〔中間層形成方法〕
・ターゲット：酸化スズからなる多結晶焼結体
・支持体の冷却温度：３０℃
・スパッタ出力：１１．２Ｗ／ｃｍ２
・ターゲット−基板距離：５０ｍｍ
・背圧：５．０×１０−６ｔｏｒｒ以下
・製膜圧力：３．０×１０−３ｔｏｒｒ
・不活性ガス：アルゴン
・酸素分圧：不活性ガスと酸素ガスの総量に対して５ｖｏｌ％
【０１５９】
次に、作製した実施例１〜２０、参考例２１〜２２、実施例２３及び比較例１〜２３の電子写真感光体について、下記試験を実施した。結果を表１に示す。
【０１６０】
＜摩耗耐久性評価＞
実施例１〜２０、参考例２１〜２２、実施例２３及び比較例１〜２３で作製した電子写真感光体の摩耗耐久性の評価を以下の方法で実施した。
作製した電子写真感光体を電子写真装置用プロセスカートリッジに装着し、画像露光光源として６５５ｎｍの半導体レーザーを用いた株式会社リコー製ｉＰｓｉｏ  ＣＸ９０００改造機にて初期暗部電位を−８００Ｖに設定した。その後、Ａ４サイズ用紙の通紙ランニングを実施した。以下のようにして、初期及び５万枚での感光体の膜厚を測定し膜厚減少量を求めた。また、電気特性として初期及び５万枚での暗部電位と露光部電位を測定した。結果を表１に示す。
−電子写真感光体の膜厚の測定−
電子写真感光体の膜厚は、渦電流式膜厚測定装置（フィッシャーインスツルメント社製）を用いて測定した。
【０１６１】
【表１】
0005298635.tif 000017
表１の結果から、本発明に記載した表面層を有する電子写真感光体のうち実施例１〜２０、参考例２１〜２２、実施例２３及び比較例３、５、８、１０、１３、１５の電子写真感光体は、表面層を有しない電子写真感光体や、表面層にフィラーを含有しない電子写真感光体と比較して、ランニングによる摩耗量が少なく、非常に優れた摩耗耐久性を有する表面層であることが分かった。
また、表面層を有しない電子写真感光体（比較例１、６、１１、１６）や、表面層にフィラーを含有しない電子写真感光体のうち比較例２、７、１２、１７は、摩耗量が非常に多く、５万枚のランニング中に帯電不良及び紙詰まりが生じたため、約１．５万枚〜２万枚でランニングを中止することとなり、長期間の使用に耐えない結果となった。
感光体の表面電位の結果から、実施例１〜２０、参考例２１〜２２及び実施例２３で得た電子写真感光体及び比較例１８で得た電子写真感光体はいずれも初期及び５万枚ランニング後いずれの露光部電位ともに低く、安定であった。一方で、比較例６〜１５で得た電子写真感光体は初期から露光部電位が高い傾向があり、５万枚の通紙ランニング後には実施例で得た感光体の３倍以上の露光部電位を示すものもあった。このことから、短期間の通紙ランニングにおいては実施例１〜２０、参考例２１〜２２及び実施例２３で得た電子写真感光体は感光体摩耗が少なく、感光体特性の変動の小さいものであることが示された。
なお、比較例１９〜２３で得た電子写真感光体は、ランニング開始直後に帯電を十分に乗せることができず、ランニングに供することができなかった。
【０１６２】
表１の結果を元にして、実施例１〜２０、参考例２１〜２２、実施例２３、比較例３〜５、８〜１０、１３〜１５、１８の表面層（厚み５．０μｍ）が摩耗により消失するのに要するランニング枚数を計算した。結果を表２に示す。
【０１６３】
【表２】
0005298635.tif 000018
【０１６４】
実施例１〜２０、参考例２１〜２２及び実施例２３で作製した電子写真感光体の摩耗耐久寿命が、表２に示した表面層の消失までに要するランニング枚数であるとした場合には、約２０万枚〜５０万枚の摩耗耐久寿命を有していると換言できる。したがって、本発明で注目している静電耐久性に関しては、ここで示した摩耗耐久寿命の以上の耐久性を有することが必要となる。
【０１６５】
＜静電耐久性の評価＞
表２に示した摩耗耐久性寿命から、少なくとも５０万枚のランニング後に感光体の各種特性の低下が少ないことが示されれば、摩耗耐久性及び静電耐久性に優れた電子写真感光体と言うことができる。しかし、実施例及び比較例で示したすべての電子写真感光体を当該枚数の通紙ランニングを行い、静電耐久性を評価することは現実的ではないため、ここでは以下の方法を用いて電子写真感光体に静電疲労を負荷し、静電耐久性の評価を実施した。
株式会社リコー製Ｉｍａｇｉｏ  Ｎｅｏ  ２７１の感光体ユニットから帯電ユニットを除く部材（クリーニングブレード等）を取り除いたユニットをランニング試験に用いた。
実施例及び比較例で作製した感光体を取り付けた改造感光体ユニットを株式会社リコー製Ｉｍａｇｉｏ  Ｎｅｏ  ２７１改造機にセットし、通紙を行わず帯電、現像のみを繰り返し実施できるようにした。
帯電条件としては、帯電ローラを用い、直流電圧に交流電圧を重畳させた交番電圧を印加し、交流電圧のピークツーピーク電圧Ｖｐｐは約１．９ｋＶ、周波数ｆは約９００Ｈｚ、直流電圧は−８００Ｖ、電子写真感光体の回転速度は１２５ｍｍ／ｓｅｃに設定した。現像条件としては、６５０ｎｍのＬＤを用い、書き込みパターンを１００％書き込みパターン（全ベタ）とした。本条件で前述の５０万枚のランニング（５％テストパターン／帯電−露光電位差７５０Ｖ／電子写真感光体の静電容量１１０ｐＦ／ｃｍ２）と同等の静電疲労を電子写真感光体に負荷するためには、約１０時間のランニングによって達成できることが通過電荷量計算から示される。
本評価では、摩耗耐久性評価で５万枚の通紙ランニングに対して耐久性を有した実施例１〜２０、参考例２１〜２２及び実施例２３、比較例３〜５、８〜１０、１３〜１５及び１８のそれぞれの電子写真感光体について、前記ランニング試験の実施前後での帯電電位、露光部電位を測定した。また、摩耗耐久性評価に使用した株式会社リコー製ｉＰｓｉｏ  ＣＸ９０００改造機を用いて０％テストパターン（白ベタ）画像とハーフトーン画像の出力（連続５枚）を行い、地汚れの発生、モアレの発生状況を確認した。結果を表３に示す。
【０１６６】
【表３】
0005298635.tif 000019
【０１６７】
表３の結果から、実施例１〜２０、参考例２１〜２２及び実施例２３の電子写真感光体は、いずれも帯電電位、露光部電位の変動量が小さく、また地汚れ、画像欠陥の発生もほとんど生じていなかった。なお、実施例１０〜１２については、ハーフトーン出力に若干のモアレが発生した。
これに対し、比較例３〜５、８〜１０及び１３〜１５の電子写真感光体は、帯電電位、露光部電位の変動量が、実施例と比較すると大きく、特に比較例１３〜１５の電子写真感光体は、露光部電位が非常に大きくなり、それによる画像濃度変化が顕著に示された。また、比較例３〜５、８〜１０及び１３〜１５の電子写真感光体は、静電疲労後において、いずれも画像欠陥が発生した。
比較例１８の電子写真感光体は、帯電電位、露光部電位ともに変動量は小さいが、前記摩耗耐久性評価で示されたように、磨耗耐久性に乏しく、実施例１〜２０、参考例２１〜２２及び実施例２３の電子写真感光体が約２０万枚〜５０万枚の耐久性を有するのに対して、半分以下の約１０万枚程度の耐久性しか有していないことが総合的に示された。
以上のことから、実施例１〜２０、参考例２１〜２２及び実施例２３の電子写真感光体は、静電的な負荷に対してもその特性変動が小さく、長期に亘って画像品質に関わる欠陥が少ないことが分かった。
【産業上の利用可能性】
【０１６８】
本発明の画像形成装置、画像形成方法、及びプロセスカートリッジは、長期にわたる使用によっても、露光部電位の上昇を起こすことなく、磨耗耐久性、静電耐久性等の特性低下が極めて少ない本発明の電子写真感光体を用いているので、例えばレーザープリンタ、ダイレクトデジタル製版機、直接又は間接の電子写真多色画像現像方式を用いたフルカラー複写機、フルカラーレーザープリンター、及びフルカラー普通紙ファックス等に幅広く使用できる。
【図面の簡単な説明】
【０１６９】
【図１】図１は、本発明の電子写真感光体の層構成の一例を示す概略断面図である。
【図２】図２は、本発明の電子写真感光体の層構成の他の一例を示す概略断面図である。
【図３】図３は、本発明の電子写真感光体の層構成の更に他の一例を示す概略断面図である。
【図４】図４は、本発明の画像形成装置の一例を示す概略図である。
【図５】図５は、本発明のプロセスカートリッジの一例を示す概略図である。
【図６】図６は、実施例１で作製したインジウム、亜鉛、及びガリウムからなる非晶質酸化物半導体のＸ線回折法による結晶構造解析結果を示す図である。
【図７】図７は、実施例１で作製したインジウム、亜鉛、及びガリウムからなる非晶質酸化物半導体のオージェ電子分光法による評価結果を示す図である。
【符号の説明】
【０１７０】
１      感光体
２      除電ランプ
３      帯電チャージャ
４      トナークリーニング部材
５      画像露光部
６      現像ユニット
７      転写前チャージャ
８      帯電補助ブラシ
９      記録媒体
１０      転写チャージャ
１１      分離チャージャ
１２      分離爪
１３      クリーニング前チャージャ
１４      ファーブラシ
１５      クリーニングブレード
３１      支持体
３２      中間層
３３      電荷発生層
３４      電荷輸送層
３５      表面層
３６      単層感光層
１０１      感光体
１０２      帯電手段
１０３      露光手段
１０４      現像手段
１０５      記録媒体
１０６      転写手段
１０７      クリーニング手段
【図１】
0005298635.tif 000020
【図２】
0005298635.tif 000021
【図３】
0005298635.tif 000022
【図４】
0005298635.tif 000023
【図５】
0005298635.tif 000024
【図６】
0005298635.tif 000025
【図７】
0005298635.tif 000026